(57)【要約】      （修正有）【課題】過給機付き圧縮自己着火式エンジンにおいて、燃焼室内を適切な温度に調整する。【解決手段】過給機付き圧縮自己着火式エンジンは、過給機４４と、過給機の駆動と非駆動とを切り替える切替部（電磁クラッチ４５）と、インタークーラー４６と、過給機の上流とインタークーラーの下流とを接続するバイパス通路４７と、バイパス通路に配設された流量制御弁（エアバイパス弁４８）と、吸気弁２１の開閉動作を変更するよう構成された可変動弁機構（吸気電動Ｓ−ＶＴ）と、制御部（ＥＣＵ１０）と、圧縮端温度を推定する温度推定部と、を備える。制御部は、過給機が非駆動のときには、流量制御弁を開弁し、エンジンは、燃焼室内の混合気が圧縮自己着火により燃焼する。制御部は、過給機が非駆動のときに、圧縮端温度が許容温度を超えるときには、エンジンの有効圧縮比を下げるように、可変動弁機構を通じて吸気弁の閉時期を変更する。【選択図】図１
2019039389.tif 000002
【特許請求の範囲】
【請求項１】
エンジンの燃焼室に接続された吸気通路と、
前記吸気通路に配設された過給機と、
前記過給機の駆動と非駆動とを切り替える切替部と、
前記吸気通路における前記過給機の下流に配設されたインタークーラーと、
前記吸気通路における前記過給機の上流と前記インタークーラーの下流とを接続するバイパス通路と、
前記バイパス通路に配設された流量制御弁と、
前記吸気通路の下流端と前記燃焼室との間に介設した吸気弁の開閉動作を変更するよう構成された可変動弁機構と、
前記切替部、前記流量制御弁及び前記可変動弁機構に接続されかつ、前記切替部、前記流量制御弁及び前記可変動弁機構に制御信号を出力する制御部と、
ピストンが圧縮上死点に至ったときの前記燃焼室内の温度である圧縮端温度を推定する温度推定部と、を備え、
前記制御部は、前記切替部を通じて前記過給機を非駆動にして前記エンジンを運転するときには、前記流量制御弁を開弁し、前記エンジンは、前記燃焼室内の混合気が圧縮自己着火により燃焼し、
前記制御部はまた、前記過給機を非駆動にして前記エンジンが運転しているときに、前記温度推定部が推定した圧縮端温度に基づいて、前記圧縮端温度が、予め設定した許容温度を超えるときには、前記エンジンの有効圧縮比を、前記圧縮端温度が許容温度以下のときよりも下げるように、前記可変動弁機構を通じて前記吸気弁の閉時期を変更する過給機付き圧縮自己着火式エンジン。
【請求項２】
請求項１に記載の過給機付き圧縮自己着火式エンジンにおいて、
前記制御部は、前記エンジンの負荷が低いときに、前記過給機を非駆動にし、
前記可変動弁機構は、前記吸気弁のバルブタイミングの位相を変更する機構を含むと共に、前記エンジンの負荷が低いときには、前記吸気弁と排気弁との両方が開弁しているオーバーラップ期間を設けることによって、前記燃焼室内に導入するＥＧＲガスを所定割合以上にし、
前記制御部はまた、前記過給機を非駆動にして前記エンジンが運転しているときに、前記圧縮端温度が前記許容温度を超えるときには、前記圧縮端温度が前記許容温度以下のときよりも、前記オーバーラップ期間が短くなりかつ、前記エンジンの有効圧縮比が下がるように、前記可変動弁機構を通じて前記吸気弁のバルブタイミングの位相を遅角する過給機付き圧縮自己着火式エンジン。
【請求項３】
請求項1又は２に記載の過給機付き圧縮自己着火式エンジンにおいて、
前記制御部は、前記圧縮端温度が前記許容温度を超えるときであって、外気温度が所定温度を超えるときには、前記切替部を通じて前記過給機を非駆動にすると共に、前記圧縮端温度が前記許容温度以下のときよりも、前記流量制御弁を閉じ、
前記制御部は、前記圧縮端温度が前記許容温度を超えるときであって、外気温度が前記所定温度以下のときには、前記エンジンの有効圧縮比を、前記圧縮端温度が前記許容温度以下のときよりも下げるように、前記可変動弁機構を通じて前記吸気弁の閉時期を変更する過給機付き圧縮自己着火式エンジン。
【請求項４】
請求項３に記載の過給機付き圧縮自己着火式エンジンにおいて、
前記制御部は、前記圧縮端温度が前記許容温度を超えるときであって、外気温度が前記所定温度よりも高い第２所定温度を超えるときには、前記切替部を通じて前記過給機を駆動すると共に、前記流量制御弁を開弁する過給機付き圧縮自己着火式エンジン。
【請求項５】
請求項1又は２に記載の過給機付き圧縮自己着火式エンジンにおいて、
前記制御部は、前記圧縮端温度が前記許容温度を超えるときであって、運転者が加速要求操作を行っていないときには、前記切替部を通じて前記過給機を非駆動にすると共に、前記圧縮端温度が前記許容温度以下のときよりも、前記流量制御弁を閉じ、
前記制御部は、前記圧縮端温度が前記許容温度を超えるときであって、運転者が加速要求操作を行っているときには、前記エンジンの有効圧縮比を、前記圧縮端温度が前記許容温度以下のときよりも下げるように、前記可変動弁機構を通じて前記吸気弁の閉時期を変更する過給機付き圧縮自己着火式エンジン。
【請求項６】
請求項１〜５のいずれか１項に記載の過給機付き圧縮自己着火式エンジンにおいて、
前記エンジンは、幾何学的圧縮比が１３以上３０以下である過給機付き圧縮自己着火式エンジン。
【請求項７】
請求項１〜６のいずれか１項に記載の過給機付き圧縮自己着火式エンジンにおいて、
前記燃焼室に供給される燃料は、少なくともガソリンを含む過給機付き圧縮自己着火式エンジン。
【発明の詳細な説明】
【技術分野】
【０００１】
ここに開示する技術は、過給機付き圧縮自己着火式エンジンに関する。
【背景技術】
【０００２】
特許文献１には、低負荷低回転の所定領域において、燃焼室内の混合気を圧縮着火により燃焼させるエンジンが記載されている。このエンジンは、前記所定領域においては、排気弁の閉時期を上死点前にしかつ吸気弁の開時期を上死点後にすることにより、吸気弁及び排気弁を共に閉弁するネガティブオーバーラップ期間を設けている。これにより、高温のＥＧＲガスが燃焼室内に導入されるため、燃焼室内の温度が高くなって、混合気が圧縮着火する。
【０００３】
特許文献２には、吸気通路に機械式過給機とインタークーラーとを設け、過給した吸気を冷却してエンジンに供給するエンジンが記載されている。このエンジンは、所定の運転状態において、電磁クラッチをオフにすることによって機械式過給機を非駆動にすると共に、機械式過給機及びインターをバイパスするエアバイパス通路の制御弁を閉じることにより、機械式過給機を圧力差によって予回転させる。これにより、電磁クラッチをオンにしたときのトルクショックの発生を防止する。
【先行技術文献】
【特許文献】
【０００４】
【特許文献１】特開２００９−１９７７４０号公報
【特許文献２】特許第３５６４９８９号公報
【発明の概要】
【発明が解決しようとする課題】
【０００５】
圧縮着火による燃焼は、燃焼室内の温度を適正な範囲に調整しなければならない。例えば外気温度が高いときには、圧縮上死点に至ったときの燃焼室内の温度である圧縮端温度が高くなりすぎて、圧縮着火による燃焼が急峻になり、燃焼騒音が許容値を超えてしまう。
【０００６】
ここに開示する技術は、過給機付き圧縮自己着火式エンジンにおいて、燃焼室内を適切な温度に調整する。
【課題を解決するための手段】
【０００７】
具体的に、ここに開示する過給機付き圧縮自己着火式エンジンは、エンジンの燃焼室に接続された吸気通路と、前記吸気通路に配設された過給機と、前記過給機の駆動と非駆動とを切り替える切替部と、前記吸気通路における前記過給機の下流に配設されたインタークーラーと、前記吸気通路における前記過給機の上流と前記インタークーラーの下流とを接続するバイパス通路と、前記バイパス通路に配設された流量制御弁と、前記吸気通路の下流端と前記燃焼室との間に介設した吸気弁の開閉動作を変更するよう構成された可変動弁機構と、前記切替部、前記流量制御弁及び前記可変動弁機構に接続されかつ、前記切替部、前記流量制御弁及び前記可変動弁機構に制御信号を出力する制御部と、ピストンが圧縮上死点に至ったときの前記燃焼室内の温度である圧縮端温度を推定する温度推定部と、を備える。
【０００８】
前記制御部は、前記切替部を通じて前記過給機を非駆動にして前記エンジンを運転するときには、前記流量制御弁を開弁し、前記エンジンは、前記燃焼室内の混合気が圧縮自己着火により燃焼する。
【０００９】
前記制御部はまた、前記過給機を非駆動にして前記エンジンが運転しているときに、前記温度推定部が推定した圧縮端温度に基づいて、前記圧縮端温度が、予め設定した許容温度を超えるときには、前記エンジンの有効圧縮比を、前記圧縮端温度が許容温度以下のときよりも下げるように、前記可変動弁機構を通じて前記吸気弁の閉時期を変更する。
【００１０】
ここで、「エンジン」は、燃焼室が吸気行程、圧縮行程、膨張行程及び排気行程を繰り返すことにより運転する、４ストロークエンジンとすればよい。
【００１１】
過給機が駆動しない状態でエンジンが運転するときには、バイパス通路の流量制御弁を開弁する。過給機は、エンジンによって駆動される機械式の過給機とすればよい。また、電気エネルギにより駆動する電動式の過給機としてもよい。過給機が駆動していないとき、吸気は、過給機及びインタークーラーを通過しないで、バイパス通路を通って燃焼室に入る。一方、過給機が駆動している状態でエンジンが運転するときには、吸気は、過給機による昇圧、及び、インタークーラーによる冷却を経て、燃焼室に入る。尚、過給機が駆動しているときには、流量制御弁の開度を、適宜、調整することによって、エンジンの過給圧を調整すればよい。
【００１２】
過給機が駆動していない状態でエンジンが運転するときに、燃焼室内の混合気は、圧縮自己着火により燃焼する。燃焼室内を適切な温度に調整しなければならない。圧縮端温度が、予め設定した許容温度を超えるときには、エンジンの有効圧縮比を、圧縮端温度が許容温度以下のときよりも下げるように、可変動弁機構を通じて吸気弁の閉時期を変更する。例えば吸気弁の閉時期を下死点以降に遅らせると、エンジンの有効圧縮比が下がる。尚、吸気弁の閉時期の変更は、吸気弁のバルブタイミングの位相を変更することに限定されない。例えば吸気弁のリフト量を変更したり、吸気弁の開弁角（つまり、吸気弁が開弁している期間の長さ）を変更したりすることにより、吸気弁の閉時期を変更してもよい。
【００１３】
エンジンの有効圧縮比を下げることによって、圧縮行程中に燃焼室内のガスが圧縮されることに伴う温度上昇が少なくなるから、その分、圧縮端温度が下がる。圧縮端温度を、許容温度以下に抑えることが可能になる。尚、温度推定部は、各種のセンサの検出値に基づいて、圧縮端温度を推定すればよい。
【００１４】
ここで、圧縮端温度が高くなるときに、燃焼室に供給する吸気の温度を、例えばインタークーラーを利用して低下させることが考えられる。しかしながら、吸気が、インタークーラーを通過するよう過給機を駆動すると、エンジンの燃費性能が低下してしまう。
【００１５】
これに対し、吸気弁の閉時期を変更させてエンジンの有効圧縮比を下げる前記の構成は、エンジンの燃費性能が低下させることなく、圧縮端温度を許容温度以下にすることができる。その結果、過給機が駆動してない状態でエンジンが運転しているときに、燃焼室内の混合気を、適切に圧縮自己着火により燃焼させることができる。
【００１６】
前記制御部は、前記エンジンの負荷が低いときに、前記過給機を非駆動にし、前記可変動弁機構は、前記吸気弁のバルブタイミングの位相を変更する機構を含むと共に、前記エンジンの負荷が低いときには、前記吸気弁と排気弁との両方が開弁しているオーバーラップ期間を設けることによって、前記燃焼室内に導入するＥＧＲガスを所定割合以上にし、前記制御部はまた、前記過給機を非駆動にして前記エンジンが運転しているときに、前記圧縮端温度が前記許容温度を超えるときには、前記圧縮端温度が前記許容温度以下のときよりも、前記オーバーラップ期間が短くなりかつ、前記エンジンの有効圧縮比が下がるように、前記可変動弁機構を通じて前記吸気弁のバルブタイミングの位相を遅角する、としてもよい。
【００１７】
オーバーラップ期間を設けて、燃焼室内に、所定割合以上のＥＧＲガスを導入することにより、燃焼室内の温度を高くすることができる。エンジンの負荷が低いときに圧縮自己着火による燃焼を安定化することができる。圧縮端温度が許容温度を超えるときに、吸気弁のバルブタイミングの位相を遅角すると、圧縮端温度が許容温度以下のときよりも、オーバーラップ期間が短くなる。これにより、燃焼室内に導入されるＥＧＲガス量が減るため、圧縮を開始する前の、燃焼室内の温度が下がる。また、吸気弁のバルブタイミングの位相を遅角することにより吸気弁の閉時期を下死点以降に遅らせると、エンジンの有効圧縮比が下がる。
【００１８】
よって、前記の構成は、吸気弁のバルブタイミングの位相を遅角することによって、圧縮を開始する前の燃焼室内の温度を下げることと、エンジンの有効圧縮比を下げることとの二つの効果が得られる。これによって、圧縮端温度を有効に低減し、圧縮端温度を許容温度以下に抑えることができるから、燃焼室内の混合気を、適切に圧縮自己着火により燃焼させることができる。
【００１９】
前記制御部は、前記圧縮端温度が前記許容温度を超えるときであって、外気温度が所定温度を超えるときには、前記切替部を通じて前記過給機を非駆動にすると共に、前記圧縮端温度が前記許容温度以下のときよりも、前記流量制御弁を閉じ、前記制御部は、前記圧縮端温度が前記許容温度を超えるときであって、外気温度が前記所定温度以下のときには、前記エンジンの有効圧縮比を、前記圧縮端温度が前記許容温度以下のときよりも下げるように、前記可変動弁機構を通じて前記吸気弁の閉時期を変更する、としてもよい。
【００２０】
外気温度が所定温度を超えて高すぎるときには、前述した、エンジンの有効圧縮比を下げる構成によっては、圧縮端温度を許容温度以下に抑えることができない場合がある。そこで、外気温度が所定温度を超えるときには、インタークーラーを利用して吸気の温度を低下させる。具体的には、過給機を非駆動にすると共に、バイパス通路の流量制御弁を閉じ側にする。これにより、過給機の前後に圧力差が生じ、過給機が圧力差によって回転（つまり、予回転）して、吸気が過給機を通過する。過給機を通過した吸気は、インタークーラーによって冷却された後、燃焼室に入る。バイパス通路の流量制御弁の開度を調整することにより、過給機の前後の圧力差が変化し、過給機及びインタークーラーを通過する吸気量と、バイパス通路を通過する吸気量との比率が変わる。燃焼室に導入される吸気の温度を調整することができるから、外気温度が高すぎるときであっても、圧縮端温度を許容温度以下に抑えることができる。この構成は、過給機を駆動しないものの、ポンプ損失が、多少、増大する。
【００２１】
これに対し、外気温度が所定温度以下のときには、前述したように、エンジンの有効圧縮比を下げることにより、圧縮端温度を許容温度以下に抑える。この構成は、過給機を駆動しない上に、ポンプ損失も増大しないため、エンジンの燃費性能の点で有利である。
【００２２】
前記制御部は、前記圧縮端温度が前記許容温度を超えるときであって、外気温度が前記所定温度よりも高い第２所定温度を超えるときには、前記切替部を通じて前記過給機を駆動すると共に、前記流量制御弁を開弁する、としてもよい。
【００２３】
この構成は、外気温度がさらに高いときに、インタークーラーを利用して吸気を効果的に冷却することを可能にする構成である。つまり、過給機を駆動すると共に、流量制御弁を開弁すると、過給機及びインタークーラーを通過することによって温度が低下した吸気の一部が、燃焼室に入ると共に、残りは、バイパス通路を通じて過給機の上流に戻される。過給機の上流に戻った吸気は、新たな吸気と共に、過給機及びインタークーラーを、もう一度、通過する。過給機及びインタークーラーを通過することによって温度が低下した吸気の一部が、燃焼室に入ると共に、残りが、再び、バイパス通路を通じて過給機の上流に戻される。こうして、吸気の一部を、インタークーラーが介設された吸気通路と、バイパス通路とによって構成される循環通路において循環させることができるから、外気温度が高いときであっても、インタークーラーによって十分に冷却した上で、燃焼室に導入することができる。その結果、圧縮端温度を許容温度以下に抑えることが可能になる。
【００２４】
前記制御部は、前記圧縮端温度が前記許容温度を超えるときであって、運転者が加速要求操作を行っていないときには、前記切替部を通じて前記過給機を非駆動にすると共に、前記圧縮端温度が前記許容温度以下のときよりも、前記流量制御弁を閉じ、前記制御部は、前記圧縮端温度が前記許容温度を超えるときであって、運転者が加速要求操作を行っているときには、前記エンジンの有効圧縮比を、前記圧縮端温度が前記許容温度以下のときよりも下げるように、前記可変動弁機構を通じて前記吸気弁の閉時期を変更する、としてもよい。
【００２５】
圧縮端温度を低減する二つの構成のうち、過給機を非駆動にすると共に、流量制御弁を閉じる構成は、吸気抵抗が増大し得る。従って、運転者が加速要求操作を行っているときには、加速レスポンスが低下する恐れがある。そこで、圧縮端温度が許容温度を超えるときであって、運転者が加速要求操作を行っているときには、エンジンの有効圧縮比を下げるように、吸気弁の閉時期を変更する。吸気抵抗が増大しないため、運転者が加速要求操作を行っているときに、加速レスポンスの低下を回避することができる。
【００２６】
一方、圧縮端温度が許容温度を超えるときであって、運転者が加速要求操作を行っていないときには、過給機を非駆動にすると共に、流量制御弁を閉じる。このことにより、インタークーラーを利用して、燃焼室に導入する吸気の温度を効果的に低減することができる。
【００２７】
前記エンジンは、幾何学的圧縮比が１３以上３０以下である、としてもよい。
【００２８】
エンジンの幾何学的圧縮比を比較的高くすると、圧縮自己着火による燃焼の安定化に有利であるが、過早着火を招く恐れもある。幾何学的圧縮比が１３以上３０以下のエンジンにおいて、前述の通り、圧縮端温度の調整を行うことにより、過早着火を回避しながら、圧縮自己着火による燃焼を安定化することができる。
【００２９】
また、幾何学的圧縮比を上げすぎないことによって冷却損失の低減に有利になると共に、機械損失の低減にも有利になる。エンジンの燃費性能が向上する。
【００３０】
前記燃焼室に供給される燃料は、少なくともガソリンを含む、としてもよい。
【００３１】
ガソリンを含有する燃料は、高温の燃焼室内において過早着火を招く恐れがあるが、前述したように、圧縮端温度の調整を行うことにより、ガソリンを含有する燃料を使用するエンジンにおいて、過早着火を回避しながら、圧縮自己着火による燃焼を安定化することができる。
【発明の効果】
【００３２】
以上説明したように、前記の過給機付き圧縮自己着火式エンジンによると、燃焼室内を適切な温度に調整することができる。
【図面の簡単な説明】
【００３３】
【図１】図１は、エンジンの構成を例示する図である。
【図２】図２は、燃焼室の構成を例示する図であり、上図は燃焼室の平面視相当図、下部はＡ−Ａ断面図である。
【図３】図３は、燃焼室及び吸気系の構成を例示する平面図である。
【図４】図４の左図は、エンジンの冷却装置のメイン回路の構成を例示する図であり、図４の右図は、エンジンの冷却装置のサブ回路の構成を例示する図である。
【図５】図５は、エンジンの制御装置の構成を例示するブロック図である。
【図６】図６は、エンジンの運転領域マップを例示する図である。
【図７】図７は、各運転領域における燃料噴射時期及び点火時期と、燃焼波形とを例示する図である。
【図８】図８は、スワール比測定のためのリグ試験装置を例示する図である。
【図９】図９は、セカンダリ通路の開口比率とスワール比との関係を例示する図である。
【図１０】図１０は、過給機を駆動しているとき、及び、過給機の循環制御を行っているときの吸気通路におけるガスの流れを示す図である。
【図１１】図１１は、過給機を駆動していないときの吸気通路におけるガスの流れを示す図１０対応図である。
【図１２】図１２は、過給機の予回転制御を行っているときの吸気通路におけるガスの流れを示す図１０対応図である。
【図１３】図１３は、過給機の予回転制御を行っているときに、インタークーラーを通過する吸気の流量割合と、サージタンク内のガス温度との関係を例示する図である。
【図１４】図１４は、吸気弁の閉時期を遅角したときの筒内圧力の変化と、筒内温度の変化とを例示する図である。
【図１５】図１５は、圧縮端温度の調整に係るエンジンの制御プロセスを例示するフローチャートである。
【図１６】図１６は、エンジンの制御プロセスの変形例を例示するフローチャートの一部である。
【発明を実施するための形態】
【００３４】
以下、過給機付き圧縮自己着火式エンジンの実施形態を図面に基づいて詳細に説明する。以下の説明は、エンジンの一例である。図１は、エンジンの構成を例示する図である。図２は、燃焼室の構成を例示する図である。図３は、燃焼室及び吸気系の構成を例示する図である。尚、図１における吸気側は紙面左側であり、排気側は紙面右側である。図２及び図３における吸気側は紙面右側であり、排気側は紙面左側である。図４は、エンジンの冷却装置の構成を例示する図である。図５は、エンジンの制御装置の構成を例示するブロック図である。
【００３５】
エンジン１は、燃焼室１７が吸気行程、圧縮行程、膨張行程及び排気行程を繰り返すことにより運転する４ストロークエンジンである。エンジン１は、四輪の自動車に搭載される。エンジン１が運転することによって、自動車は走行する。エンジン１の燃料は、この構成例においてはガソリンである。燃料は、バイオエタノール等を含むガソリンであってもよい。エンジン１の燃料は、少なくともガソリンを含む液体燃料であれば、どのような燃料であってもよい。
【００３６】
（エンジンの構成）
エンジン１は、シリンダブロック１２と、その上に載置されるシリンダヘッド１３とを備えている。シリンダブロック１２の内部に複数のシリンダ１１が形成されている。図１及び図２では、一つのシリンダ１１のみを示す。エンジン１は、多気筒エンジンである。
【００３７】
各シリンダ１１内には、ピストン３が摺動自在に内挿されている。ピストン３は、コネクティングロッド１４を介してクランクシャフト１５に連結されている。ピストン３は、シリンダ１１及びシリンダヘッド１３と共に燃焼室１７を区画する。尚、「燃焼室」は、ピストン３が圧縮上死点に至ったときの空間の意味に限定されない。「燃焼室」の語は広義で用いる場合がある。つまり、「燃焼室」は、ピストン３の位置に関わらず、ピストン３、シリンダ１１及びシリンダヘッド１３によって形成される空間を意味する場合がある。
【００３８】
シリンダヘッド１３の下面、つまり、燃焼室１７の天井面は、図２の上図に示すように、傾斜面１３１１と、傾斜面１３１２とによって構成されている。傾斜面１３１１は、吸気側から、後述するインジェクタ６の噴射軸心Ｘ２に向かって上り勾配となっている。傾斜面１３１２は、排気側から噴射軸心Ｘ２に向かって上り勾配となっている。燃焼室１７の天井面は、いわゆるペントルーフ形状である。
【００３９】
ピストン３の上面は燃焼室１７の天井面に向かって隆起している。ピストン３の上面には、キャビティ３１が形成されている。キャビティ３１は、ピストン３の上面から凹陥している。キャビティ３１は、後述するインジェクタ６に向かい合う。
【００４０】
キャビティ３１の中心は、シリンダ１１の中心軸Ｘ１よりも排気側にずれている。キャビティ３１の中心は、インジェクタ６の噴射軸心Ｘ２と一致している。キャビティ３１は、凸部３１１を有している。凸部３１１は、インジェクタ６の噴射軸心Ｘ２上に設けられている。凸部３１１は、略円錐状である。凸部３１１は、キャビティ３１の底部から、燃焼室１７の天井面に向かって上向きに伸びている。
【００４１】
キャビティ３１はまた、凸部３１１の周囲に設けられた凹陥部３１２を有している。凹陥部３１２は、凸部３１１の全周を囲むように設けられている。キャビティ３１は、噴射軸心Ｘ２に対して対称な形状を有している。
【００４２】
凹陥部３１２の周側面は、キャビティ３１の底面からキャビティ３１の開口に向かって噴射軸心Ｘ２に対して傾いている。凹陥部３１２におけるキャビティ３１の内径は、キャビティ３１の底部からキャビティ３１の開口に向かって次第に拡大する。
【００４３】
エンジン１の幾何学的圧縮比は、１３以上３０以下に設定されている。後述するようにエンジン１は、一部の運転領域において、ＳＩ燃焼とＣＩ燃焼とを組み合わせたＳＰＣＣＩ燃焼を行う。ＳＰＣＣＩ燃焼は、ＳＩ燃焼による発熱と圧力上昇とを利用して、ＣＩ燃焼をコントロールする。このエンジン１は、混合気の自着火のためにピストン３が圧縮上死点に至った時の燃焼室１７の温度（つまり、圧縮端温度）を高くする必要がない。つまり、エンジン１は、ＣＩ燃焼を行うものの、その幾何学的圧縮比を、比較的低く設定することが可能である。幾何学的圧縮比を低くすると、冷却損失の低減、及び、機械損失の低減に有利になる。エンジン１の幾何学的圧縮比は、レギュラー仕様（燃料のオクタン価が９１程度）においては、１４〜１７とし、ハイオク仕様（燃料のオクタン価が９６程度）においては、１５〜１８としてもよい。
【００４４】
シリンダヘッド１３には、シリンダ１１毎に、吸気ポート１８が形成されている。吸気ポート１８は、図３に示すように、第１吸気ポート１８１及び第２吸気ポート１８２の、二つの吸気ポートを有している。第１吸気ポート１８１及び第２吸気ポート１８２は、クランクシャフト１５の軸方向、つまり、エンジン１のフロント−リヤ方向に並んでいる。吸気ポート１８は、燃焼室１７に連通している。吸気ポート１８は、詳細な図示は省略するが、いわゆるタンブルポートである。つまり、吸気ポート１８は、燃焼室１７の中にタンブル流が形成されるような形状を有している。
【００４５】
吸気ポート１８には、吸気弁２１が配設されている。吸気弁２１は、燃焼室１７と吸気ポート１８との間を開閉する。吸気弁２１は動弁機構によって、所定のタイミングで開閉する。動弁機構は、バルブタイミング及び／又はバルブリフトを可変にする可変動弁機構とすればよい。この構成例では、図５に示すように、可変動弁機構は、吸気電動Ｓ−ＶＴ（Sequential-Valve Timing）２３を有している。吸気電動Ｓ−ＶＴ２３は、吸気カムシャフトの回転位相を所定の角度範囲内で連続的に変更するよう構成されている。それによって、吸気弁２１の開時期及び閉時期は、連続的に変化する。尚、吸気動弁機構は、電動Ｓ−ＶＴに代えて、油圧式のＳ−ＶＴを有していてもよい。
【００４６】
シリンダヘッド１３にはまた、シリンダ１１毎に、排気ポート１９が形成されている。排気ポート１９も、図３に示すように、第１排気ポート１９１及び第２排気ポート１９２の、二つの排気ポートを有している。第１排気ポート１９１及び第２排気ポート１９２は、エンジン１のフロント−リヤ方向に並んでいる。排気ポート１９は、燃焼室１７に連通している。
【００４７】
排気ポート１９には、排気弁２２が配設されている。排気弁２２は、燃焼室１７と排気ポート１９との間を開閉する。排気弁２２は動弁機構によって、所定のタイミングで開閉する。この動弁機構は、バルブタイミング及び／又はバルブリフトを可変にする可変動弁機構とすればよい。この構成例では、図５に示すように、可変動弁機構は、排気電動Ｓ−ＶＴ２４を有している。排気電動Ｓ−ＶＴ２４は、排気カムシャフトの回転位相を所定の角度範囲内で連続的に変更するよう構成されている。それによって、排気弁２２の開時期及び閉時期は、連続的に変化する。尚、排気動弁機構は、電動Ｓ−ＶＴに代えて、油圧式のＳ−ＶＴを有していてもよい。
【００４８】
このエンジン１は、吸気電動Ｓ−ＶＴ２３及び排気電動Ｓ−ＶＴ２４によって、吸気弁２１の開時期と排気弁２２の閉時期とに係るオーバーラップ期間の長さを調整する。このことによって、燃焼室１７の中の残留ガスを掃気する。また、オーバーラップ期間の長さを調整することによって、内部ＥＧＲ（Exhaust Gas Recirculation）ガスを燃焼室１７の中に導入する、又は、燃焼室１７の中に閉じ込める。この構成例においては、吸気電動Ｓ−ＶＴ２３及び排気電動Ｓ−ＶＴ２４が、内部ＥＧＲシステムを構成している。尚、内部ＥＧＲシステムは、Ｓ−ＶＴによって構成されるとは限らない。
【００４９】
シリンダヘッド１３には、シリンダ１１毎に、インジェクタ６が取り付けられている。インジェクタ６は、燃焼室１７の中に燃料を直接噴射するよう構成されている。インジェクタ６は、吸気側の傾斜面１３１１と排気側の傾斜面１３１２とが交差するペントルーフの谷部に配設されている。インジェクタ６は、図２に示すように、その噴射軸心Ｘ２がシリンダ１１の中心軸Ｘ１よりも排気側に配設されている。インジェクタ６の噴射軸心Ｘ２は、中心軸Ｘ１に平行である。インジェクタ６の噴射軸心Ｘ２と、前述したようにキャビティ３１の凸部３１１の位置とは一致している。インジェクタ６は、キャビティ３１に対向している。尚、インジェクタ６の噴射軸心Ｘ２は、シリンダ１１の中心軸Ｘ１と一致していてもよい。その場合も、インジェクタ６の噴射軸心Ｘ２と、キャビティ３１の凸部３１１の位置とは一致していることが望ましい。
【００５０】
インジェクタ６は、詳細な図示は省略するが、複数の噴口を有する多噴口型の燃料噴射弁によって構成されている。インジェクタ６は、図２に二点鎖線で示すように、燃料噴霧が、燃焼室１７の中央から放射状に広がるように燃料を噴射する。インジェクタ６は、本構成例においては、十個の噴孔を有しており、噴孔は、周方向に等角度に配置されている。噴孔の軸は、図２の上図に示すように、後述する点火プラグ２５に対して、周方向に位置がずれている。つまり、点火プラグ２５は、隣り合う二つの噴孔の軸に挟まれている。これにより、インジェクタ６から噴射された燃料の噴霧が、点火プラグ２５に直接当たって、電極を濡らしてしまうことが回避される。
【００５１】
インジェクタ６には、燃料供給システム６１が接続されている。燃料供給システム６１は、燃料を貯留するよう構成された燃料タンク６３と、燃料タンク６３とインジェクタ６とを互いに連結する燃料供給路６２とを備えている。燃料供給路６２には、燃料ポンプ６５とコモンレール６４とが介設している。燃料ポンプ６５は、コモンレール６４に燃料を圧送する。燃料ポンプ６５は、この構成例においては、クランクシャフト１５によって駆動されるプランジャー式のポンプである。コモンレール６４は、燃料ポンプ６５から圧送された燃料を、高い燃料圧力で蓄えるよう構成されている。インジェクタ６が開弁すると、コモンレール６４に蓄えられていた燃料が、インジェクタ６の噴口から燃焼室１７の中に噴射される。燃料供給システム６１は、３０ＭＰａ以上の高い圧力の燃料を、インジェクタ６に供給することが可能に構成されている。燃料供給システム６１の最高燃料圧力は、例えば１２０ＭＰａ程度にしてもよい。インジェクタ６に供給する燃料の圧力は、エンジン１の運転状態に応じて変更してもよい。尚、燃料供給システム６１の構成は、前記の構成に限定されない。
【００５２】
シリンダヘッド１３には、シリンダ１１毎に、点火プラグ２５が取り付けられている。点火プラグ２５は、燃焼室１７の中の混合気に強制的に点火をする。点火プラグ２５は、この構成例では、シリンダ１１の中心軸Ｘ１よりも吸気側に配設されている。点火プラグ２５は、２つの吸気ポート１８の間に位置している。点火プラグ２５は、上方から下方に向かって、燃焼室１７の中央に近づく方向に傾いて、シリンダヘッド１３に取り付けられている。点火プラグ２５の電極は、図２に示すように、燃焼室１７の中に臨んでかつ、燃焼室１７の天井面の付近に位置している。尚、点火プラグ２５を、シリンダ１１の中心軸Ｘ１よりも排気側に配置してもよい。また、点火プラグ２５をシリンダ１１の中心軸Ｘ１上に配置する一方、インジェクタ６を、シリンダ１１の中心軸Ｘ１よりも吸気側、又は、排気側に配設してよい。
【００５３】
エンジン１の一側面には吸気通路４０が接続されている。吸気通路４０は、各シリンダ１１の吸気ポート１８に連通している。吸気通路４０は、燃焼室１７に導入するガスが流れる通路である。吸気通路４０の上流端部には、新気を濾過するエアクリーナー４１が配設されている。吸気通路４０の下流端近傍には、サージタンク４２が配設されている。サージタンク４２よりも下流の吸気通路４０は、シリンダ１１毎に分岐する独立通路を構成している。独立通路の下流端が、各シリンダ１１の吸気ポート１８に接続されている。
【００５４】
吸気通路４０におけるエアクリーナー４１とサージタンク４２との間には、スロットル弁４３が配設されている。スロットル弁４３は、弁の開度を調整することによって、燃焼室１７の中への新気の導入量を調整するよう構成されている。
【００５５】
吸気通路４０にはまた、スロットル弁４３の下流に、過給機４４が配設されている。過給機４４は、燃焼室１７に導入するガスを過給するよう構成されている。この構成例において、過給機４４は、エンジン１によって駆動される機械式の過給機である。機械式の過給機４４は、例えばリショルム式としてもよい。機械式の過給機４４の構成はどのような構成であってもよい。機械式の過給機４４は、ルーツ式、ベーン式、又は遠心式であってもよい。
【００５６】
過給機４４とエンジン１との間には、電磁クラッチ４５が介設している。電磁クラッチ４５は、過給機４４とエンジン１との間で、エンジン１から過給機４４へ駆動力を伝達したり、駆動力の伝達を遮断したりする。後述するように、ＥＣＵ１０が電磁クラッチ４５の遮断及び接続を切り替えることによって、過給機４４はオンとオフとが切り替わる。このエンジン１は、過給機４４が、燃焼室１７に導入するガスを過給することと、過給機４４が、燃焼室１７に導入するガスを過給しないこととを切り替えることができるよう構成されている。
【００５７】
吸気通路４０における過給機４４の下流には、インタークーラー４６が配設されている。インタークーラー４６は、過給機４４において圧縮されたガスを冷却するよう構成されている。インタークーラー４６は、例えば水冷式に構成すればよい。インタークーラー４６は、油冷式であってもよい。
【００５８】
吸気通路４０には、バイパス通路４７が接続されている。バイパス通路４７は、過給機４４及びインタークーラー４６をバイパスするよう、吸気通路４０における過給機４４の上流部とインタークーラー４６の下流部とを互いに接続する。より具体的に、バイパス通路４７は、サージタンク４２に接続されている。バイパス通路４７には、エアバイパス弁４８が配設されている。エアバイパス弁４８は、バイパス通路４７を流れるガスの流量を調整する。
【００５９】
過給機４４をオフにしたとき（つまり、電磁クラッチ４５を遮断したとき）には、エアバイパス弁４８を全開にする。これにより、吸気通路４０を流れるガスは、過給機４４をバイパスして、エンジン１の燃焼室１７に導入される。エンジン１は、非過給、つまり自然吸気の状態で運転する。
【００６０】
過給機４４をオンにしたとき（つまり、電磁クラッチ４５を接続したとき）には、過給機４４を通過したガスの一部は、バイパス通路４７を通って過給機４４の上流に逆流する。エアバイパス弁４８の開度を調整することによって、逆流量を調整することができるから、燃焼室１７に導入するガスの過給圧を調整することができる。尚、過給時とは、サージタンク４２内の圧力が大気圧を超える時をいい、非過給時とは、サージタンク４２内の圧力が大気圧以下になる時をいう、と定義してもよい。
【００６１】
この構成例においては、過給機４４とバイパス通路４７とエアバイパス弁４８とによって、過給システム４９が構成されている。
【００６２】
エンジン１は、燃焼室１７内にスワール流を発生させるスワール発生部を有している。スワール発生部は、図３に示すように、吸気通路４０に取り付けられたスワールコントロール弁５６である。スワールコントロール弁５６は、第１吸気ポート１８１につながるプライマリ通路４０１と、第２吸気ポート１８２につながるセカンダリ通路４０２との内の、セカンダリ通路４０２に配設されている。スワールコントロール弁５６は、セカンダリ通路の断面を絞ることができる開度調整弁である。スワールコントロール弁５６の開度が小さいと、エンジン１の前後方向に並んだ第１吸気ポート１８１及び第２吸気ポート１８２の内、第１吸気ポート１８１から燃焼室１７に流入する吸気流量が相対的に増えかつ、第２吸気ポート１８２から燃焼室１７に流入する吸気流量が相対的に減るから、燃焼室１７内のスワール流が強くなる。スワールコントロール弁５６の開度が大きいと、第１吸気ポート１８１及び第２吸気ポート１８２のそれぞれから燃焼室１７に流入する吸気流量が、略均等になるから、燃焼室１７内のスワール流が弱くなる。スワールコントロール弁５６を全開にすると、スワール流が発生しない。尚、スワール流は、白抜きの矢印で示すように、図３における反時計回り方向に周回する（図２の白抜きの矢印も参照）。
【００６３】
尚、スワール発生部は、吸気通路４０にスワールコントロール弁５６を取り付ける代わりに、又は、スワールコントロール弁５６を取り付けることに加えて、二つの吸気弁２１の開弁期間をずらし、一方の吸気弁２１のみから燃焼室１７の中に吸気を導入することができる構成を採用してもよい。二つの吸気弁２１の内の一方の吸気弁２１のみが開弁することによって、燃焼室１７の中に吸気が不均等に導入するから、燃焼室１７の中にスワール流を発生させることができる。さらに、スワール発生部は、吸気ポート１８の形状を工夫することによって、燃焼室１７の中にスワール流を発生させように構成してもよい。
【００６４】
エンジン１の他側面には、排気通路５０が接続されている。排気通路５０は、各シリンダ１１の排気ポート１９に連通している。排気通路５０は、燃焼室１７から排出された排気ガスが流れる通路である。排気通路５０の上流部分は、詳細な図示は省略するが、シリンダ１１毎に分岐する独立通路を構成している。独立通路の上流端が、各シリンダ１１の排気ポート１９に接続されている。
【００６５】
排気通路５０には、複数の触媒コンバーターを有する排気ガス浄化システムが配設されている。上流の触媒コンバーターは、図示は省略するが、エンジンルーム内に配設されている。上流の触媒コンバーターは、三元触媒５１１と、ＧＰＦ（Gasoline Particulate Filter）５１２とを有している。下流の触媒コンバーターは、エンジンルーム外に配設されている。下流の触媒コンバーターは、三元触媒５１３を有している。尚、排気ガス浄化システムは、図例の構成に限定されるものではない。例えば、ＧＰＦは省略してもよい。また、触媒コンバーターは、三元触媒を有するものに限定されない。さらに、三元触媒及びＧＰＦの並び順は、適宜変更してもよい。
【００６６】
吸気通路４０と排気通路５０との間には、外部ＥＧＲシステムを構成するＥＧＲ通路５２が接続されている。ＥＧＲ通路５２は、既燃ガスの一部を吸気通路４０に還流させるための通路である。ＥＧＲ通路５２の上流端は、排気通路５０における上流の触媒コンバーターと下流の触媒コンバーターとの間に接続されている。ＥＧＲ通路５２の下流端は、吸気通路４０における過給機４４の上流に接続されている。より具体的に、ＥＧＲ通路５２の下流端は、バイパス通路４７の途中に接続されている。ＥＧＲ通路５２を流れるＥＧＲガスは、バイパス通路４７のエアバイパス弁４８を通らずに、吸気通路４０における過給機４４の上流に入る。
【００６７】
ＥＧＲ通路５２には、水冷式のＥＧＲクーラー５３が配設されている。ＥＧＲクーラー５３は、既燃ガスを冷却するよう構成されている。ＥＧＲ通路５２にはまた、ＥＧＲ弁５４が配設されている。ＥＧＲ弁５４は、ＥＧＲ通路５２を流れる既燃ガスの流量を調整するよう構成されている。ＥＧＲ弁５４の開度を調整することによって、冷却した既燃ガス、つまり外部ＥＧＲガスの還流量を調整することができる。
【００６８】
この構成例において、ＥＧＲシステム５５は、ＥＧＲ通路５２及びＥＧＲ弁５４を含んで構成されている外部ＥＧＲシステムと、前述した吸気電動Ｓ−ＶＴ２３及び排気電動Ｓ−ＶＴ２４を含んで構成されている内部ＥＧＲシステムとによって構成されている。ＥＧＲ弁５４はまた、状態量設定デバイスの一つを構成している。外部ＥＧＲシステムは、ＥＧＲ通路５２がＧＰＦ５１２よりも下流に接続されていると共に、ＥＧＲクーラー５３を有しているため、内部ＥＧＲシステムよりも低温の既燃ガスを、燃焼室１７に供給することができる。
【００６９】
エンジン１の冷却装置７１は、図４に示すように、メイン回路７１Ａとサブ回路７１Ｂとを備えている。メイン回路７１Ａ及びサブ回路７１Ｂは、互いに独立している。つまり、メイン回路７１Ａとサブ回路７１Ｂとの間で、冷媒は相互に行き来しない。
【００７０】
メイン回路７１Ａは、走行風を利用して冷媒を冷却するメインラジエータ７２と、メインラジエータ７２によって冷却された冷媒を、シリンダヘッド１３及びシリンダブロック１２から構成されるエンジン本体１００に供給する可変容量型のウォータポンプ７４と、を有している。ウォータポンプ７４は、エンジン１によって駆動される。エンジン本体１００に供給された冷媒は、エンジン本体１００の各部を冷却した後、エンジン本体１００から排出され、メインラジエータ７２に戻る。
【００７１】
サブ回路７１Ｂは、メインラジエータ７２と同様に、走行風を利用して冷媒を冷却するサブラジエータ７５と、サブラジエータ７５によって冷却された冷媒をインタークーラー４６へ供給する電動ウォータポンプ７６と、を有している。インタークーラー４６に供給された冷媒は、インタークーラー４６を通過するガスを冷却した後に、インタークーラー４６から排出され、サブラジエータ７５に戻る。
【００７２】
メイン回路７１Ａを流れる冷媒は、エンジン本体１００の内部を通過する。サブ回路７１Ｂを流れる冷媒は、エンジン本体１００の内部を通過しない。そのため、メイン回路７１Ａを流れる冷媒は、サブ回路７１Ｂを流れる冷媒よりも高温になる。尚、ＥＧＲクーラー５３は、図示は省略するが、メイン回路７１Ａに接続されている。
【００７３】
圧縮自己着火式エンジンの制御装置は、エンジン１を運転するためのＥＣＵ（Engine Control Unit）１０を備えている。ＥＣＵ１０は、周知のマイクロコンピュータをベースとするコントローラーであって、図５に示すように、プログラムを実行する中央演算処理装置（Central Processing Unit：ＣＰＵ）１０１と、例えばＲＡＭ（Random Access Memory）やＲＯＭ（Read Only Memory）により構成されてプログラム及びデータを格納するメモリ１０２と、電気信号の入出力をする入出力バス１０３と、を備えている。ＥＣＵ１０は、制御部の一例である。
【００７４】
ＥＣＵ１０には、図１及び図５に示すように、各種のセンサＳＷ１〜ＳＷ１６が接続されている。センサＳＷ１〜ＳＷ１６は、検知信号をＥＣＵ１０に出力する。センサには、以下のセンサが含まれる。
【００７５】
すなわち、吸気通路４０におけるエアクリーナー４１の下流に配置されかつ、吸気通路４０を流れる新気の流量を検知するエアフローセンサＳＷ１、及び、新気の温度を検知する第１吸気温度センサＳＷ２、吸気通路４０におけるＥＧＲ通路５２の接続位置よりも下流でかつ、過給機４４の上流に配置されかつ、過給機４４に流入するガスの圧力を検知する第１圧力センサＳＷ３、吸気通路４０における過給機４４の下流でかつ、バイパス通路４７の接続位置よりも上流に配置されかつ、過給機４４から流出したガスの温度を検知する第２吸気温度センサＳＷ４、サージタンク４２に取り付けられかつ、過給機４４の下流のガスの圧力を検知する第２圧力センサＳＷ５、各シリンダ１１に対応してシリンダヘッド１３に取り付けられかつ、各燃焼室１７内の圧力を検知する指圧センサＳＷ６、排気通路５０に配置されかつ、燃焼室１７から排出した排気ガスの温度を検知する排気温度センサＳＷ７、排気通路５０における上流の触媒コンバーターよりも上流に配置されかつ、排気ガス中の酸素濃度を検知するリニアＯ２センサＳＷ８、上流の触媒コンバーターにおける三元触媒５１１の下流に配置されかつ、排気ガス中の酸素濃度を検知するラムダＯ２センサＳＷ９、エンジン１に取り付けられかつ、冷却水の温度を検知する水温センサＳＷ１０、エンジン１に取り付けられかつ、クランクシャフト１５の回転角を検知するクランク角センサＳＷ１１、アクセルペダル機構に取り付けられかつ、アクセルペダルの操作量に対応したアクセル開度を検知するアクセル開度センサＳＷ１２、エンジン１に取り付けられかつ、吸気カムシャフトの回転角を検知する吸気カム角センサＳＷ１３、エンジン１に取り付けられかつ、排気カムシャフトの回転角を検知する排気カム角センサＳＷ１４、ＥＧＲ通路５２に配置されかつ、ＥＧＲ弁５４の上流及び下流の差圧を検知するＥＧＲ差圧センサＳＷ１５、並びに、燃料供給システム６１のコモンレール６４に取り付けられかつ、インジェクタ６に供給する燃料の圧力を検知する燃圧センサＳＷ１６である。
【００７６】
ＥＣＵ１０は、これらの検知信号に基づいて、エンジン１の運転状態を判断すると共に、各デバイスの制御量を計算する。ＥＣＵ１００は、計算をした制御量に係る制御信号を、インジェクタ６、点火プラグ２５、吸気電動Ｓ−ＶＴ２３、排気電動Ｓ−ＶＴ２４、燃料供給システム６１、スロットル弁４３、ＥＧＲ弁５４、過給機４４の電磁クラッチ４５、エアバイパス弁４８、及び、スワールコントロール弁５６に出力する。
【００７７】
例えば、ＥＣＵ１０は、アクセル開度センサＳＷ１２の検知信号と予め設定しているマップとに基づいて、エンジン１の目標トルクを設定すると共に、目標過給圧を決定する。そして、ＥＣＵ１０は、目標過給圧と、第１圧力センサＳＷ３及び第２圧力センサＳＷ５の検知信号から得られる過給機４４の前後差圧とに基づいて、エアバイパス弁４８の開度を調整することにより、過給圧が目標過給圧となるようにフィードバック制御を行う。
【００７８】
また、ＥＣＵ１０は、エンジン１の運転状態と予め設定したマップとに基づいて目標ＥＧＲ率（つまり、燃焼室１７の中の全ガスに対するＥＧＲガスの比率）を設定する。そして、ＥＣＵ１０は、目標ＥＧＲ率とアクセル開度センサＳＷ１２の検知信号に基づく吸入空気量とに基づき目標ＥＧＲガス量を決定すると共に、ＥＧＲ差圧センサＳＷ１５の検知信号から得られるＥＧＲ弁５４の前後差圧に基づいてＥＧＲ弁５４の開度を調整することにより、燃焼室１７の中に導入する外部ＥＧＲガス量が目標ＥＧＲガス量となるようにフィードバック制御を行う。
【００７９】
さらに、ＥＣＵ１０は、所定の制御条件が成立しているときに空燃比フィードバック制御を実行する。具体的にＥＣＵ１０は、リニアＯ２センサＳＷ８、及び、ラムダＯ２センサＳＷ９によって検知された排気中の酸素濃度に基づいて、混合気の空燃比が所望の値となるように、インジェクタ６の燃料噴射量を調整する。
【００８０】
尚、その他のＥＣＵ１０によるエンジン１の制御の詳細は、後述する。
【００８１】
（エンジンの運転領域）
図６は、温間時における、エンジン１の運転領域マップを例示している。エンジン１の運転領域マップ５０１、５０２は、負荷及び回転数によって定められており、負荷の高低及び回転数の高低に対し、五つの領域に分けられている。具体的に、五つの領域は、アイドル運転を含みかつ、低回転及び中回転の領域に広がる低負荷領域（１）−１、低負荷領域よりも負荷が高くかつ、低回転及び中回転の領域に広がる中負荷領域（１）−２、中負荷領域（１）−２よりも負荷が高い領域でかつ、全開負荷を含む高負荷領域の中回転領域（２）、高負荷領域において中回転領域（２）よりも回転数の低い低回転領域（３）、及び、低負荷領域（１）−１、中負荷領域（１）−２、高負荷中回転領域（２）、及び、高負荷低回転領域（３）よりも回転数の高い高回転領域（４）である。ここで、低回転領域、中回転領域、及び、高回転領域はそれぞれ、エンジン１の全運転領域を回転数方向に、低回転領域、中回転領域及び高回転領域の略三等分にしたときの、低回転領域、中回転領域、及び、高回転領域とすればよい。図６の例では、回転数Ｎ１未満を低回転、回転数Ｎ２以上を高回転、回転数Ｎ１以上Ｎ２未満を中回転としている。回転数Ｎ１は、例えば１２００ｒｐｍ程度、回転数Ｎ２は、例えば４０００ｒｐｍ程度としてもよい。尚、図６における二点鎖線は、エンジン１のロード−ロードライン（Road-Load Line）を示している。図６においては、理解容易のために、エンジン１の運転領域マップ５０１、５０２を二つに分けて描いている。マップ５０１は、各領域における混合気の状態及び燃焼形態と、過給機４４の駆動領域及び非駆動領域と、を示している。マップ５０２は、各領域におけるスワールコントロール弁５６の開度を示している。
【００８２】
エンジン１は、燃費の向上及び排出ガス性能の向上を主目的として、低負荷領域（１）−１、中負荷領域（１）−２、及び、高負荷中回転領域（２）において、圧縮自己着火による燃焼を行う。エンジン１はまた、その他の領域、具体的には、高負荷低回転領域（３）及び高回転領域（４）においては、火花点火による燃焼を行う。以下、各領域におけるエンジン１の運転について、図７に示す燃料噴射時期及び点火時期を参照しながら詳細に説明をする。尚、図７における符号６０１、６０２、６０３、６０４、６０５及び６０６はそれぞれ、図６の運転領域マップ５０１における符号６０１、６０２、６０３、６０４、６０５及び６０６によって示すエンジン１の運転状態に対応する。
【００８３】
（低負荷領域（１）−１）
エンジン１が低負荷領域（１）−１において運転しているときに、エンジン１は、ＣＩ燃焼を行う。自己着火による燃焼は、圧縮開始前の燃焼室１７の中の温度がばらつくと、自己着火のタイミングが大きく変化する。そこで、エンジン１は、低負荷領域（１）−１において、ＳＩ燃焼とＣＩ燃焼とを組み合わせたＳＰＣＣＩ燃焼を行う。
【００８４】
図７の符号６０１は、エンジン１が低負荷領域（１）−１における運転状態６０１にて運転しているときの燃料噴射時期（符号６０１１、６０１２）及び点火時期（符号６０１３）、並びに、燃焼波形（つまり、クランク角に対する熱発生率の変化を示す波形、符号６０１４）を示している。
【００８５】
ＳＰＣＣＩ燃焼は、点火プラグ２５が、燃焼室１７の中の混合気に強制的に点火をすることによって、混合気が火炎伝播によりＳＩ燃焼をすると共に、ＳＩ燃焼の発熱により燃焼室１７の中の温度が高くなりかつ、火炎伝播により燃焼室１７の中の圧力が上昇することによって、未燃混合気が自己着火によるＣＩ燃焼をする。
【００８６】
ＳＩ燃焼の発熱量を調整することによって、圧縮開始前の燃焼室１７の中の温度のばらつきを吸収することができる。圧縮開始前の燃焼室１７の中の温度がばらついていても、例えば点火タイミングの調整によってＳＩ燃焼の開始タイミングを調整すれば、混合気を目標のタイミングで自己着火させることができる。
【００８７】
ＳＰＣＣＩ燃焼を行うときには、圧縮上死点付近で点火プラグ２５が混合気に点火する、これによって、火炎伝播による燃焼が開始する。ＳＩ燃焼時の熱発生は、ＣＩ燃焼時の熱発生よりも穏やかである。従って、熱発生率の波形６０１４は、立ち上がりの傾きが相対的に小さくなる。また、燃焼室１７の中における圧力変動（ｄｐ／ｄθ）も、ＳＩ燃焼時は、ＣＩ燃焼時よりも穏やかになる。
【００８８】
ＳＩ燃焼によって、燃焼室１７の中の温度及び圧力が高まると、未燃混合気が自己着火する。図７の例では、自己着火のタイミングで、熱発生率の波形６０１４の傾きが、小から大へと変化している。つまり、熱発生率の波形は、ＣＩ燃焼が開始するタイミングで、変曲点を有している。
【００８９】
ＣＩ燃焼の開始後は、ＳＩ燃焼とＣＩ燃焼とが並行して行われる。ＣＩ燃焼は、ＳＩ燃焼よりも熱発生が大きいため、熱発生率は相対的に大きくなる。但し、ＣＩ燃焼は、圧縮上死点後に行われるため、ピストン３がモータリングによって下降している。ＣＩ燃焼による、熱発生率の波形６０１４の傾きが大きくなりすぎることが回避される。ＣＩ燃焼時のｄｐ／ｄθも比較的穏やかになる。
【００９０】
ｄｐ／ｄθは、燃焼騒音を表す指標として用いることができるが、前述の通りＳＰＣＣＩ燃焼は、ｄｐ／ｄθを小さくすることができるため、燃焼騒音が大きくなりすぎることを回避することが可能になる。燃焼騒音は、許容レベル以下に抑えることができる。
【００９１】
ＣＩ燃焼が終了することによって、ＳＰＣＣＩ燃焼が終了する。ＣＩ燃焼は、ＳＩ燃焼に比べて、燃焼期間が短い。ＳＰＣＣＩ燃焼は、ＳＩ燃焼よりも、燃焼終了時期が早まる。言い換えると、ＳＰＣＣＩ燃焼は、膨張行程中の燃焼終了時期を、圧縮上死点に近づけることが可能である。ＳＰＣＣＩ燃焼は、ＳＩ燃焼よりも、エンジン１の燃費性能の向上に有利である。
【００９２】
エンジン１の燃費性能を向上させるために、ＥＧＲシステム５５は、エンジン１が低負荷領域（１）−１において運転しているときに、燃焼室１７の中にＥＧＲガスを導入する。具体的には、排気上死点付近において、吸気弁２１及び排気弁２２の両方を開弁するポジティブオーバーラップ期間を設けることにより、燃焼室１７の中から吸気ポート１８及び排気ポート１９に排出した排気ガスの一部を、燃焼室１７の中に再導入する。燃焼室１７の中に熱い既燃ガスを導入するため、燃焼室１７の中の温度を高くすることができ、ＳＰＣＣＩ燃焼の安定化に有利になる。尚、吸気弁２１及び排気弁２２の両方を閉弁するネガティブオーバーラップ期間を設けようにしてもよい。
【００９３】
また、エンジン１が低負荷領域（１）−１において運転しているときには、燃焼室１７の中には、強いスワール流が形成される。スワール流は、燃焼室１７の外周部において強く、中央部において弱くなる。スワールコントロール弁５６は、全閉又は閉じ側の所定の開度である。前述したように、吸気ポート１８はタンブルポートであるため、燃焼室１７の中には、タンブル成分とスワール成分とを有する斜めスワール流が形成される。
【００９４】
エンジン１が低負荷領域（１）−１において運転するときに、スワール比は４以上になる。ここで、スワール比を定義すると、「スワール比」は、吸気流横方向角速度をバルブリフト毎に測定して積分した値を、エンジン角速度で除した値である。吸気流横方向角速度は、図８に示すリグ試験装置を用いた測定に基づいて求めることができる。すなわち、同図に示す装置は、基台にシリンダヘッド１３を上下反転して設置して、吸気ポート１８を図外の吸気供給装置に接続する一方、そのシリンダヘッド１３上にシリンダ３６を設置すると共に、その上端にハニカム状ロータ３７を有するインパルスメータ３８を接続して構成されている。インパルスメータ３８の下面は、シリンダヘッド１３とシリンダブロックとの合わせ面から１．７５Ｄ（尚、Ｄはシリンダボア径）の位置に位置づけている。吸気供給に応じてシリンダ３６内に生じるスワール（図８の矢印参照）によって、ハニカム状ロータ３７に作用するトルクをインパルスメータ３８によって計測し、それに基づいて、吸気流横方向角速度を求めることができる。
【００９５】
図９は、このエンジン１におけるスワールコントロール弁５６の開度と、スワール比との関係を示している。図９は、スワールコントロール弁５６の開度を、セカンダリ通路４０２の全開断面に対する開口比率によって表している。スワールコントロール弁５６が全閉のときに、セカンダリ通路４０２の開口比率は０％となり、スワールコントロール弁５６の開度が大きくなると、セカンダリ通路４０２の開口比率が０％よりも大きくなる。スワールコントロール弁５６が全開のときに、セカンダリ通路４０２の開口比率は１００％となる。図９に例示するように、このエンジン１は、スワールコントロール弁５６を全閉にすると、スワール比は６程度になる。エンジン１が低負荷領域（１）−１において運転するときに、スワール比は４以上６以下とすればよい。スワールコントロール弁５６の開度は、開口比率が０〜１５％となる範囲で調整すればよい。
【００９６】
エンジン１が低負荷領域（１）−１において運転するときに、混合気の空燃比（Ａ／Ｆ）は、燃焼室１７の全体において理論空燃比よりもリーンである。つまり、燃焼室１７の全体において、混合気の空気過剰率λは１を超える。より詳細に、燃焼室１７の全体において混合気のＡ／Ｆは３０以上である。こうすることで、ＲａｗＮＯｘの発生を抑制することができ、排出ガス性能を向上させることができる。
【００９７】
エンジン１が低負荷領域（１）−１において運転するときに、燃焼室１７内の中央部と外周部との間において、混合気は成層化している。燃焼室１７内の中央部は、点火プラグ２５が配置されている部分であり、外周部は、中央部の周囲であって、シリンダ１１のライナーに接する部分である。燃焼室１７内の中央部は、スワール流が弱い部分、外周部は、スワール流が強い部分、と定義してもよい。
【００９８】
中央部の混合気の燃料濃度は、外周部の燃料濃度よりも濃い。具体的に、中央部の混合気のＡ／Ｆは、２０以上３０以下であり、外周部の混合気のＡ／Ｆは、３５以上である。尚、空燃比の値は、点火時における空燃比の値であり、以下の説明においても同じである。
【００９９】
エンジン１が低負荷領域（１）−１において運転するときに、インジェクタ６は、圧縮行程中に燃料を複数回、燃焼室１７の中に噴射する（符号６０１１、６０１２）。複数回の燃料噴射と、燃焼室１７の中のスワール流とによって、前述したように、燃焼室１７の中央部と外周部とにおいて、混合気を成層化する。
【０１００】
燃料噴射の終了後、圧縮上死点前の所定のタイミングで、点火プラグ２５は、燃焼室１７の中央部の混合気に点火をする（符号６０１３）。中央部の混合気は燃料濃度が相対的に高いため、着火性が向上すると共に、火炎伝播によるＳＩ燃焼が安定化する。ＳＩ燃焼が安定化することによって、適切なタイミングで、ＣＩ燃焼が開始する。ＳＰＣＣＩ燃焼において、ＣＩ燃焼のコントロール性が向上する。その結果、エンジン１が低負荷領域（１）−１において運転するときに、燃焼騒音の発生の抑制と、燃焼期間の短縮による燃費性能の向上とが両立する。
【０１０１】
以上のように、低負荷領域（１）−１においてエンジン１は、混合気を理論空燃比よりもリーンしてＳＰＣＣＩ燃焼を行うため、低負荷領域（１）−１は、「ＳＰＣＣＩリーン領域」と呼ぶことができる。
【０１０２】
（中負荷領域（１）−２）
エンジン１が中負荷領域（１）−２において運転しているときも、低負荷領域（１）−１と同様に、エンジン１は、ＳＰＣＣＩ燃焼を行う。
【０１０３】
図７の符号６０２は、エンジン１が中負荷領域（１）−２における運転状態６０２にて運転しているときの燃料噴射時期（符号６０２１、６０２２）及び点火時期（符号６０２３）、並びに、燃焼波形（符号６０２４）を示している。
【０１０４】
ＥＧＲシステム５５は、エンジン１の運転状態が中負荷領域（１）−２にあるときに、燃焼室１７の中にＥＧＲガスを導入する。具体的には、低負荷領域（１）−１と同様に、排気上死点付近において、吸気弁２１及び排気弁２２の両方を開弁するポジティブオーバーラップ期間を設けることにより、燃焼室１７の中から吸気ポート１８及び排気ポート１９に排出した排気ガスの一部を、燃焼室１７の中に再導入する。つまり、内部ＥＧＲガスを、燃焼室１７の中に導入する。また、中負荷領域（１）−２においては、ＥＧＲ通路５２を通じて、ＥＧＲクーラー５３によって冷却した排気ガスを、燃焼室１７の中に導入する。つまり、内部ＥＧＲガスに比べて温度が低い外部ＥＧＲガスを、燃焼室１７の中に導入する。中負荷領域（１）−２においては、内部ＥＧＲガス及び／又は外部ＥＧＲガスを、燃焼室１７の中に導入することにより、燃焼室１７の中の温度を適切になるよう調整する。
【０１０５】
また、エンジン１が中負荷領域（１）−２において運転するときにも、低負荷領域（１）−１と同様に、燃焼室１７の中には、スワール比が４以上の、強いスワール流が形成される。スワールコントロール弁５６は、全閉又は閉じ側の所定の開度である。スワール流を強くすることにより、燃焼室１７内の乱流エネルギが高くなるから、エンジン１が中負荷領域（１）−２において運転するときに、ＳＩ燃焼の火炎が速やかに伝播してＳＩ燃焼が安定化する。ＳＩ燃焼が安定することによってＣＩ燃焼のコントロール性が高まる。ＳＰＣＣＩ燃焼におけるＣＩ燃焼のタイミングが適正化することによって、燃焼騒音の発生を抑制することができると共に、燃費性能の向上が図られる。また、サイクル間におけるトルクのばらつきを抑制することができる。
【０１０６】
エンジン１が中負荷領域（１）−２において運転するときに、混合気の空燃比（Ａ／Ｆ）は、燃焼室１７の全体において理論空燃比（Ａ／Ｆ≒１４．７）である。三元触媒が、燃焼室１７から排出された排出ガスを浄化することによって、エンジン１の排出ガス性能は良好になる。混合気のＡ／Ｆは、三元触媒の浄化ウインドウの中に収まるようにすればよい。従って、混合気の空気過剰率λは、１．０±０．２とすればよい。
【０１０７】
エンジン１が中負荷領域（１）−２において運転するときに、インジェクタ６は、吸気行程中の燃料噴射（符号６０２１）と、圧縮行程中の燃料噴射（符号６０２２）とを行う。吸気行程中に第１噴射６０２１を行うことによって、燃焼室１７の中に燃料を略均等に分布させることができる。圧縮行程中に第２噴射６０２２を行うことによって、燃料の気化潜熱によって燃焼室１７の中の温度を低下させることができる。第１噴射６０２１によって噴射した燃料を含む混合気が過早着火してしまうことを防止することができる。尚、中負荷領域（１）−２において、特に、エンジンが負荷の低い運転状態のときには、第２噴射６０２２は、省略することも可能である。
【０１０８】
インジェクタ６が、第１噴射６０２１と第２噴射６０２２とを行うことによって、燃焼室１７の中には、全体として、空気過剰率λが１．０±０．２になった、略均質な混合気が形成される。混合気が略均質であるため、未燃損失の低減による燃費の向上、及び、スモークの発生回避による排出ガス性能の向上を図ることができる。空気過剰率λは、好ましくは、１．０〜１．２である。
【０１０９】
圧縮上死点の前の所定のタイミングで、点火プラグ２５が混合気に点火をする（符号６０２３）ことによって、混合気は、火炎伝播により燃焼する。火炎伝播による燃焼の開始後、未燃混合気が自己着火して、ＣＩ燃焼する。
【０１１０】
従って、中負荷領域（１）−２においてエンジン１は、混合気を理論空燃比にしてＳＰＣＣＩ燃焼を行うため、中負荷領域（１）−２は、「ＳＰＣＣＩλ＝１領域」と呼ぶことができる。
【０１１１】
ここで、図６に示すように、低負荷領域（１）−１の一部、及び、中負荷領域（１）−２の一部においては、過給機４４がオフにされる（Ｓ／Ｃ  ＯＦＦ参照）。詳細には、低負荷領域（１）−１における低回転側の領域においては、過給機４４がオフにされる。低負荷領域（１）−１における高回転側の領域においては、エンジン１の回転数が高くなることに対応して必要な吸気充填量を確保するために、過給機４４がオンにされて、過給圧を高くする。また、中負荷領域（１）−２における低負荷低回転側の領域においては、過給機４４がオフにされ、中負荷領域（１）−２における高負荷側の領域においては、燃料噴射量が増えることに対応して必要な吸気充填量を確保するために、過給機４４がオンにされ、高回転側の領域においては、エンジン１の回転数が高くなることに対応して必要な吸気充填量を確保するために、過給機４４がオンになる。
【０１１２】
尚、高負荷中回転領域（２）、高負荷低回転領域（３）、及び、高回転領域（４）の各領域においては、その全域に亘って過給機４４がオンになる（Ｓ／Ｃ  ＯＮ参照）。
【０１１３】
（高負荷中回転領域（２））
エンジン１が高負荷中回転領域（２）において運転しているときも、低負荷領域（１）−１及び中負荷領域（１）−２と同様に、エンジン１は、ＳＰＣＣＩ燃焼を行う。
【０１１４】
図７の符号６０３は、エンジン１が高負荷中回転領域（２）における低回転側の運転状態６０３にて運転しているときの燃料噴射時期（符号６０３１、６０３２）及び点火時期（符号６０３３）、並びに、燃焼波形（符号６０３４）を示している。また、符号６０４は、エンジン１が高負荷中回転領域（２）における高回転側の運転状態６０４にて運転しているときの燃料噴射時期（符号６０４１）及び点火時期（符号６０４２）、並びに、燃焼波形（符号６０４３）を示している。
【０１１５】
ＥＧＲシステム５５は、エンジン１の運転状態が高負荷中回転領域（２）にあるときに、燃焼室１７の中にＥＧＲガスを導入する。エンジン１は、負荷が高まるに従いＥＧＲガスの量を減らす。全開負荷では、ＥＧＲガスをゼロにしてもよい。
【０１１６】
また、エンジン１が高負荷中回転領域（２）において運転するときにも、低負荷領域（１）−１と同様に、燃焼室１７の中には、スワール比が４以上の、強いスワール流が形成される。スワールコントロール弁５６は、全閉又は閉じ側の所定の開度である。
【０１１７】
エンジン１が高負荷中回転領域（２）において運転するときに、混合気の空燃比（Ａ／Ｆ）は、燃焼室１７の全体において理論空燃比又は理論空燃比よりもリッチである（つまり、混合気の空気過剰率λは、λ≦１）。
【０１１８】
エンジン１が高負荷中回転領域（２）における運転状態６０３にて運転するときに、インジェクタ６は、吸気行程において前段噴射６０３１を行うと共に、圧縮行程において後段噴射６０３２を行う。前段噴射は、例えば吸気行程の前半に開始し、後段噴射は、例えば圧縮行程の終期に行ってもよい。吸気行程の前半は、吸気行程を前半と後半とに二等分したときの前半としてもよい。具体的に前段噴射は、例えば圧縮上死点前２８０°ＣＡに、燃料噴射を開始してもよい。
【０１１９】
前段噴射６０３１の噴射開始を吸気行程の前半にすると、図示は省略するが、燃料噴霧がキャビティ３１の開口縁部に当たることによって、一部の燃料は、燃焼室１７のスキッシュエリア１７１（つまり、キャビティ３１の外の領域（図２参照））に入り、残りの燃料は、キャビティ３１の内の領域に入る。スワール流は、燃焼室１７の外周部において強く、中央部において弱くなっている。そのため、スキッシュエリア１７１に入った一部の燃料はスワール流に入り、キャビティ３１の内の領域に入った残りの燃料は、スワール流の内側に入る。スワール流に入った燃料は、吸気行程から圧縮行程の間、スワール流の中に留まり、燃焼室１７の外周部においてＣＩ燃焼用の混合気を形成する。スワール流の内側に入った燃料も、吸気行程から圧縮行程の間、スワール流の内側に留まり、燃焼室１７の中央部においてＳＩ燃焼用の混合気を形成する。
【０１２０】
エンジン１が高負荷中回転領域（２）において運転するときには、燃焼室１７の外周部の混合気の燃料濃度が、中央部の混合気の燃料濃度よりも濃くかつ、外周部の混合気の燃料量が、中央部の混合気の燃料量よりも多くなるようにする。具体的には、点火プラグ２５が配置されている中央部の混合気は、空気過剰率λが１以下であり、外周部の混合気は、空気過剰率λが１未満である。中央部の混合気の空燃比（Ａ／Ｆ）は、例えば１３以上、理論空燃比（１４．７）以下としてもよい。また、外周部の混合気の空燃比は、例えば１１以上、理論空燃比以下、又は１１以上、１２以下としてもよい。燃焼室１７の外周部は、混合気中の燃料量が増えるため、燃料の気化潜熱によって温度が低下する。燃焼室１７の全体の混合気の空燃比は、１２．５以上、理論空燃比以下、又は１２．５以上、１３以下としてもよい。
【０１２１】
圧縮行程の終期は、圧縮行程を、初期、中期及び終期に三等分したときの終期とすればよい。圧縮行程の終期に行う後段噴射６０３２は、例えば上死点前１０°ＣＡで燃料噴射を開始してもよい。上死点の直前で後段噴射を行うことにより、燃料の気化潜熱によって燃焼室内の温度を低下させることができる。前段噴射６０３１によって噴射された燃料は、圧縮行程の間に低温酸化反応が進み、上死点前において高温酸化反応に移行するようになるが、上死点の直前で後段噴射６０３２を行い、燃焼室内の温度を低下させることにより、低温酸化反応から高温酸化反応へ移行することを抑制することができ、過早着火が発生してしまうことを抑制することができる。尚、前段噴射の噴射量と後段噴射の噴射量との割合は、一例として、９５：５としてもよい。
【０１２２】
点火プラグ２５は、圧縮上死点付近において、燃焼室１７の中央部の混合気に点火をする（符号６０３３）。点火プラグ２５は、例えば圧縮上死点以降に点火を行う。点火プラグ２５は燃焼室１７の中央部に配置されているため、点火プラグ２５の点火によって、中央部の混合気が火炎伝播によるＳＩ燃焼を開始する。
【０１２３】
エンジン１が高負荷中回転領域（２）における運転状態６０４にて運転するときに、インジェクタ６は、吸気行程において燃料噴射を開始する（符号６０４１）。
【０１２４】
吸気行程に開始する噴射６０４１は、前記と同様に、吸気行程の前半に燃料噴射を開始してもよい。具体的に噴射６０４１は、上死点前２８０°ＣＡで燃料噴射を開始してもよい。噴射６０４１の終了は、吸気行程を超えて圧縮行程中になる場合がある。噴射６０４１の開始を、吸気行程の前半にすることによって、前述したように、燃焼室１７の外周部においてＣＩ燃焼用の混合気を形成すると共に、燃焼室１７の中央部においてＳＩ燃焼用の混合気を形成することができる。点火プラグ２５が配置されている中央部の混合気は、前記と同様に、好ましくは空気過剰率λが１以下であり、外周部の混合気は、空気過剰率λが１以下、好ましくは１未満である。中央部の混合気の空燃比（Ａ／Ｆ）は、例えば１３以上、理論空燃比（１４．７）以下としてもよい。中央部の混合気の空燃比は、理論空燃比よりもリーンであってもよい。また、外周部の混合気の空燃比は、例えば１１以上、理論空燃比以下、又は１１以上、１２以下としてもよい。燃焼室１７の全体の混合気の空燃比は、１２．５以上、理論空燃比以下、又は１２．５以上、１３以下としてもよい。
【０１２５】
エンジン１の回転数が高くなると、噴射６０４１によって噴射された燃料が反応する時間が短くなる。そのため、混合気の反応を抑制するための後段噴射を省略することができる。
【０１２６】
点火プラグ２５は、圧縮上死点付近において、燃焼室１７の中央部の混合気に点火をする（符号６０４２）。点火プラグ２５は、例えば圧縮上死点以降に点火を行う。
【０１２７】
高負荷領域においては、燃料噴射量が多くなると共に、燃焼室１７の温度も高くなるため、ＣＩ燃焼が早期に開始しやすい状況になる。言い換えると、高負荷領域においては、混合気の過早着火が発生しやすい。しかしながら、前述の通り、燃焼室１７の外周部の温度が、燃料の気化潜熱によって低下しているから、混合気に火花点火をした後、ＣＩ燃焼がすぐに開始してしまうことを回避することができる。
【０１２８】
燃焼室１７の中において混合気を成層化することと、燃焼室１７の中に強いスワール流を発生させることとによって、ＣＩ燃焼の開始までにＳＩ燃焼を十分に行うことができる。その結果、燃焼騒音の発生を抑制することができると共に、燃焼温度が高くなりすぎることがなくてＮＯｘの生成も抑制される。また、サイクル間におけるトルクのばらつきを抑制することができる。
【０１２９】
また、外周部の温度が低いため、ＣＩ燃焼が緩やかになり、燃焼騒音の発生を抑制することができる。さらに、ＣＩ燃焼によって燃焼期間が短くなるから、高負荷領域においてトルクの向上、及び、熱効率の向上が図られる。よって、このエンジン１は、負荷が高い領域においてＳＰＣＣＩ燃焼を行うことにより、燃焼騒音を回避しながら、燃費性能を向上させることができる。
【０１３０】
以上のように、高負荷中回転領域（２）においてエンジン１は、混合気を理論空燃比又は理論空燃比よりもリッチしてＳＰＣＣＩ燃焼を行うため、高負荷中回転領域（２）は、「ＳＰＣＣＩλ≦１領域」と呼ぶことができる。
【０１３１】
（高負荷低回転領域（３））
エンジン１の回転数が低いと、クランク角が１°変化するのに要する時間が長くなる。燃焼室１７に噴射した燃料の反応が進みすぎてしまって、ＳＰＣＣＩ燃焼をしようとしても過早着火を招く恐れがある。そこで、エンジン１が高負荷中回転領域（３）において運転しているときに、エンジン１は、ＳＰＣＣＩ燃焼ではなく、ＳＩ燃焼を行う。
【０１３２】
図７の符号６０５は、エンジン１が高負荷中回転領域（３）における運転状態６０５にて運転しているときの燃料噴射時期（符号６０５１、６０５２）及び点火時期（符号６０５３）、並びに、燃焼波形（符号６０５４）を示している。
【０１３３】
ＥＧＲシステム５５は、エンジン１の運転状態が高負荷中回転領域（３）にあるときに、燃焼室１７の中にＥＧＲガスを導入する。エンジン１は、負荷が高まるに従いＥＧＲガスの量を減らす。全開負荷では、ＥＧＲガスをゼロにしてもよい。
【０１３４】
エンジン１が高負荷低回転領域（３）において運転しているときに、混合気の空燃比（Ａ／Ｆ）は、燃焼室１７の全体において理論空燃比（Ａ／Ｆ≒１４．７）である。混合気のＡ／Ｆは、三元触媒の浄化ウインドウの中に収まるようにすればよい。従って、混合気の空気過剰率λは、１．０±０．２とすればよい。混合気の空燃比を、理論空燃比にすることにより、高負荷低回転領域（３）において、燃費性能が向上する。尚、エンジン１が高負荷低回転領域（３）において運転するときに、燃焼室１７の全体の混合気の燃料濃度を、空気過剰率λにおいて１以下でかつ、高負荷中回転領域（２）における空気過剰率λよりも大にしてもよい。
【０１３５】
エンジン１が高負荷低回転領域（３）において運転するときに、インジェクタ６は、吸気行程において燃料を噴射する（符号６０５１）と共に、圧縮行程終期から膨張行程初期までの期間（以下、この期間をリタード期間と呼ぶ）内のタイミングで、燃焼室１７内に燃料を噴射する（符号６０５２）。膨張行程の初期は、膨張行程を、初期、中期及び終期に三等分したときの初期とすればよい。
吸気行程中に燃料を噴射することにより（符号６０５１）、混合気の形成時間を十分に確保することができる。また、リタード期間内に燃料を噴射することにより（符号６０５２）、点火直前に、燃焼室１７内のガス流動を強くすることができる。燃料圧力は、３０ＭＰａ以上の高い燃料圧力に設定される。燃料圧力を高くすることによって、燃料の噴射期間及び混合気の形成期間を、それぞれ短くすることができると共に、燃焼室１７内のガス流動を、より強くすることができる。燃料圧力の上限値は、一例として、１２０ＭＰａとしてもよい。
【０１３６】
点火プラグ２５は、燃料の噴射後、圧縮上死点付近のタイミングで、混合気に点火を行う（符号６０５３）。点火プラグ２５は、圧縮上死点後に点火を行ってもよい。混合気は、膨張行程においてＳＩ燃焼をする。ＳＩ燃焼が膨張行程において開始するため、ＣＩ燃焼は開始しない。
【０１３７】
インジェクタ６は、過早着火を回避するために、エンジン１の回転数が低くなるほど、燃料噴射の時期を遅角してもよい。リタード期間内の燃料噴射は、膨張行程において終了する場合もある。
【０１３８】
エンジン１が高負荷低回転領域（３）において運転するときには、リタード期間内の燃料の噴射開始から点火までの時間が短い。混合気の着火性の向上及びＳＩ燃焼の安定化のためには、燃料を速やかに点火プラグ２５の付近に輸送する必要がある。
【０１３９】
圧縮行程終期から膨張行程初期の期間において、インジェクタ６が燃料を噴射すると、ピストン３が圧縮上死点の近くに位置しているため、燃料噴霧は、新気と混ざり合いながら、キャビティ３１の凸部３１１に沿って下向きに流れると共に、キャビティ３１の底面及び周側面に沿って、燃焼室１７の中央から、径方向の外方に放射状に広がって流れる。その後、混合気はキャビティ３１の開口に至り、吸気側の傾斜面１３１１、及び、排気側の傾斜面１３１２に沿って、径方向の外方から、燃焼室１７の中央に向かって流れる。
【０１４０】
また、エンジン１は、高負荷低回転領域（３）において運転するときには、高負荷中回転領域（２）において運転するときよりもスワール流を弱くする。高負荷低回転領域（３）において運転するときに、スワールコントロール弁５６の開度は、高負荷中回転領域（２）において運転するときよりも大きい。スワールコントロール弁５６の開度は、例えば５０％程度（つまり、半開）とすればよい。
【０１４１】
図２の上図に二点鎖線で噴霧を例示するように、インジェクタ６の噴孔の軸は、点火プラグ２５に対し周方向に位置がずれている。噴孔から噴射された燃料は、燃焼室１７の中のスワール流によって周方向に流れる。スワール流によって、燃料を点火プラグ２５の付近に速やかに輸送することができる。燃料は、点火プラグ２５の付近に輸送される間に、気化することができる。
【０１４２】
一方、スワール流が強すぎると、燃料が周方向に流されてしまい、点火プラグ２５の付近から離れてしまう。そこで、エンジン１は、高負荷低回転領域（３）において運転するときには、高負荷中回転領域（２）において運転するときよりもスワール流を弱くする。これによって、点火プラグ２５の付近に燃料を速やかに輸送することができるから、混合気の着火性の向上及びＳＩ燃焼の安定化を図ることができる。
【０１４３】
高負荷低回転領域（３）においてエンジン１は、燃料を圧縮行程終期から膨張行程初期までのリタード期間に燃料の噴射をしてＳＩ燃焼を行うため、高負荷低回転領域（３）は、「リタード−ＳＩ領域」と呼ぶことができる。
【０１４４】
（高回転領域（４））
エンジン１の回転数が高いと、クランク角が１°変化するのに要する時間が短くなる。そのため、例えば高負荷領域における高回転領域においては、前述したように燃焼室１７内において混合気の成層化をすることが困難になる。エンジン１の回転数が高くなると、前述したＳＰＣＣＩ燃焼を行うことが困難になる。
【０１４５】
そのため、エンジン１が高回転領域（４）において運転しているときには、エンジン１は、ＳＰＣＣＩ燃焼ではなく、ＳＩ燃焼を行う。尚、高回転領域（４）は、低負荷から高負荷まで負荷方向の全域に広がっている。
【０１４６】
図７の符号６０６は、エンジン１が高回転領域（４）における負荷の高い運転状態６０６にて運転しているときの燃料噴射時期（符号６０６１）及び点火時期（符号６０６２）、並びに、燃焼波形（符号６０６３）を示している。
【０１４７】
ＥＧＲシステム５５は、エンジン１の運転状態が高回転領域（４）にあるときに、燃焼室１７の中にＥＧＲガスを導入する。エンジン１は、負荷が高まるに従いＥＧＲガスの量を減らす。全開負荷では、ＥＧＲガスをゼロにしてもよい。
【０１４８】
エンジン１は、高回転領域（４）において運転するときには、スワールコントロール弁５６を全開にする。燃焼室１７内にはスワール流が発生せず、タンブル流のみが発生する。スワールコントロール弁５６を全開にすることによって、高回転領域（４）において充填効率を高めることができると共に、ポンプ損失を低減することが可能になる。
【０１４９】
エンジン１が高回転領域（４）において運転するときに、混合気の空燃比（Ａ／Ｆ）は、基本的には、燃焼室１７の全体において理論空燃比（Ａ／Ｆ≒１４．７）である。混合気の空気過剰率λは、１．０±０．２とすればよい。尚、高回転領域（４）内の全開負荷の付近においては、混合気の空気過剰率λを１未満にしてもよい。
【０１５０】
エンジン１が高回転領域（４）において運転するときに、インジェクタ６は、吸気行程に燃料噴射を開始する。インジェクタ６は、燃料を一括で噴射する（符号６０６１）。吸気行程中に燃料噴射を開始することによって、燃焼室１７の中に、均質又は略均質な混合気を形成することが可能になる。また、エンジン１の回転数が高いときに、燃料の気化時間をできるだけ長く確保することができるため、未燃損失の低減を図ることもできる。
【０１５１】
点火プラグ２５は、燃料の噴射終了後、圧縮上死点前の適宜のタイミングで、混合気に点火を行う（符号６０６２）。
【０１５２】
従って、高回転領域（４）においてエンジン１は、燃料噴射を吸気行程に開始してＳＩ燃焼を行うため、高回転領域（４）は、「吸気−ＳＩ領域」と呼ぶことができる。
【０１５３】
（過給機の制御）
図６に示すように、過給機４４は、低負荷低回転の所定の運転領域（つまり、Ｓ／Ｃ ＯＦＦ領域）においては駆動せず、Ｓ／Ｃ ＯＦＦ領域以外の運転領域（つまり、Ｓ／Ｃ ＯＮ領域）において駆動する。ＥＣＵ１０は、エンジン１がＳ／Ｃ ＯＮ領域において運転しているときには、電磁クラッチ４５をオンするよう、制御信号を出力する。図１０に実線の矢印で示すように、吸気は過給機４４及びインタークーラー４６を通過した後に、サージタンク４２に流入する。ＥＣＵ１０はまた、エンジン１がＳ／Ｃ ＯＮ領域において運転しているときには、バイパス通路４７のエアバイパス弁４８の開度調整を行うよう、制御信号を出力する。エアバイパス弁４８が開くと、図１０に破線の矢印で示すように、ガスの一部はサージタンク４２からバイパス通路４７を通って、過給機４４の上流に逆流する。これにより、吸気の過給圧が調整される。
【０１５４】
ＥＣＵ１０は、エンジン１がＳ／Ｃ ＯＦＦ領域において運転しているときには、電磁クラッチ４５をオフするよう、制御信号を出力する。ＥＣＵ１０はまた、エアバイパス弁４８を全開にするよう、制御信号を出力する。図１１に実線の矢印で示すように、吸気は、過給機４４及びインタークーラー４６を通らずに、バイパス通路４７を通って、サージタンク４２に流入する。
【０１５５】
（燃焼室の中の温度の調整）
図６に示す運転領域マップ５０１において、ＳＰＣＣＩ燃焼を行う各領域においては、ＳＰＣＣＩ燃焼を安定して行うために、燃焼室１７の中を、適切な温度範囲に調整する必要がある。例えば外気温が高いときには、燃焼室１７に導入される吸気の温度が高くなるから、燃焼室１７の中の温度が高くなり過ぎて、自己着火のタイミングが早くなってしまう場合がある。また、エンジン１の温度が高くなり過ぎたときも、燃焼室１７の中の温度が高くなり過ぎて、自己着火のタイミングが早くなってしまう場合がある。
【０１５６】
ＳＰＣＣＩ燃焼を行う領域において、過給機４４をオンにしてエンジン１を運転するときには、図１０に示すように、過給機４４の下流のインタークーラー４６を通過した吸気が燃焼室１７の中に導入されるため、外気温が高いときや、エンジン１の温度が高いときであっても、燃焼室１７の中の温度が高くなり過ぎることを回避することができる。
【０１５７】
これに対し、過給機４４をオフにしてエンジン１を運転するときには、図１１に示すように、吸気がインタークーラー４６を通過しないため、インタークーラー４６を利用して吸気を冷却することができない。
【０１５８】
そこで、このエンジン１は、過給機４４をオフにしてエンジン１を運転するときには、吸気弁２１の閉時期の変更により、エンジン１の有効圧縮比を変更することによって、燃焼室１７の中の温度の調整を行う。この制御は、Ｓ／Ｃ ＯＦＦ領域において行うため、低負荷領域（１）−１の一部、及び、中負荷領域（１）−２の一部において行うことになる。
【０１５９】
ここで、図１４を参照しながら、吸気弁２１のバルブタイミングの変更について説明する。符号１４０１のバルブリフト曲線に示すように、低負荷領域（１）−１及び中負荷領域（１）−２においては、吸気弁２１及び排気弁２２のポジティブオーバーラップ期間を設けている（排気弁２２のバルブリフトを示す実線、及び、吸気弁２１のバルブリフトを示す破線参照）。吸気弁２１の閉時期は、吸気下死点よりも遅く、圧縮行程中である。
【０１６０】
この状態で、図１４に白抜きの矢印で示すように、吸気弁２１のバルブタイミングを遅角すると、吸気弁２１のバルブリフトは太実線で示すように変化するから、吸気弁２１及び排気弁２２のオーバーラップ期間が短くなると共に（同図においてハッチングを付した箇所を参照）、吸気弁２１の閉時期が、圧縮行程中においてさらに遅くなる。吸気弁２１は、いわゆる遅閉じになる。
【０１６１】
吸気弁２１が遅閉じになることにより、燃焼室１７の圧縮が開始するタイミングが遅れるから、エンジン１の有効圧縮比が下がる。図１４の符号１４０２のグラフに示すように、ピストン３が圧縮上死点に至ったときの燃焼室１７の中の圧力は、吸気弁２１を遅閉じにすると低下する（白抜きの矢印参照）。
【０１６２】
また、吸気弁２１及び排気弁２２のポジティブオーバーラップ期間が短くなることにより、燃焼室１７の中に再導入されるＥＧＲガス量は少なくなる。これにより、符号１４０３のグラフに示すように、燃焼室１７の圧縮開始時の温度が低下する。
【０１６３】
燃焼室１７の圧縮開始時の温度が低下することと、エンジン１の有効圧縮比が低下することとが組み合わさって、グラフ１４０３に示すように、ピストン３が圧縮上死点に至ったときの燃焼室１７の中の温度（いわゆる圧縮端温度）は低下し、許容範囲内に収めることが可能になる。
【０１６４】
また、このエンジン１は、過給機４４をオフにしてエンジン１を運転するときにおいて、外気温が高すぎて、エンジン１の有効圧縮比の変更によって燃焼室１７の中の温度を適切な温度範囲に調整することができないときには、過給機４４を駆動しないものの、吸気の一部が過給機４４及びインタークーラー４６を通るようにすることによって、インタークーラー４６を利用した冷却を行う。この制御は、過給機４４の非駆動領域において過給機４４を回転させることから、過給機４４の予回転制御と呼ぶ。
【０１６５】
図１２及び図１３を参照しながら、過給機４４の予回転制御について説明をする。図１２は、過給機４４の予回転制御時の吸気の流れを示している。ＥＣＵ１０は、予回転制御を行うときに、電磁クラッチ４５をオフするよう、制御信号を出力すると共に、エアバイパス弁４８の開度を閉じ側に調整する。これにより、過給機４４の上流側と下流側との間で圧力差が生じるから、その圧力差によって過給機４４のロータが回転する。吸気の一部は、破線で示すように、過給機４４及びインタークーラー４６を通過して、燃焼室１７に導入される。吸気の一部はまた、実線で示すように、バイパス通路４７を通って、燃焼室１７に導入される。
【０１６６】
過給機４４の予回転制御においては、エアバイパス弁４８の開度を調整することにより、過給機４４及びインタークーラー４６を通過して燃焼室１７に入る吸気量と、バイパス通路４７を通過して燃焼室１７に入る吸気量との割合が変更される。インタークーラー４６によって冷却される吸気量が変化するから、燃焼室１７の中の温度が変わる。図１３は、インタークーラー４６を通過する吸気の流量割合（横軸）と、サージタンク４２内の温度（横軸）との関係を示している。インタークーラー４６を通過する吸気の流量割合は、前述の通り、エアバイパス弁（ＡＢＶ）４８の開度に関連する。エアバイパス弁４８の開度が大きいと、インタークーラー４６を通過する吸気の流量割合が減り、エアバイパス弁４８の開度が小さいと、インタークーラー４６を通過する吸気の流量割合が増える。サージタンク４２の中の温度は、燃焼室１７の中に導入される吸気の温度に相当する。図１３に示すように、エアバイパス弁４８の開度を小さくして、インタークーラー４６を通過する吸気の流量割合を増やすと、サージタンク４２の中の温度を下げることができる。燃焼室１７に導入される吸気の温度を、適正範囲Ｓ１に収めることが可能になるため、圧縮端温度を許容範囲内に収めることが可能になる。
【０１６７】
このエンジン１はさらに、過給機４４をオフにしてエンジン１を運転するときにおいて、外気温がさらに高いため、前述した過給機４４の予回転によっても燃焼室１７の中の温度を適切な温度範囲に調整することができないときには、過給機４４をオンにすると共に、吸気の一部を、過給機４４、インタークーラー４６及びバイパス通路４７を循環させることによって、インタークーラー４６を利用した冷却を行う。この制御は、過給機４４の循環制御と呼ぶ。
【０１６８】
過給機４４の循環制御時の吸気の流れは、図１０に示す過給時の吸気の流れと実質的に同じである。つまり、ＥＣＵ１０は、循環制御を行うときに、電磁クラッチ４５をオンにするよう、制御信号を出力すると共に、エアバイパス弁４８の開度を開け側に調整する。これにより、吸気は、過給機４４を通過した後に、インタークーラー４６を通過することにより冷却される。冷却された吸気の一部は、サージタンク４２から燃焼室１７の中に導入されると共に、燃焼室１７の中に導入されない残りの吸気は、バイパス通路４７を通って逆流し、新たな吸気と共に、過給機４４に再導入される。こうして、吸気の一部は、インタークーラー４６を複数回通過するようになり、外気温度が極めて高いときに、燃焼室１７の中に導入する吸気の温度を効率的に下げることが可能になる。
【０１６９】
（エンジンの制御プロセス）
次に、図１５のフローチャートを参照しながら、ＥＣＵ１０が実行するエンジン１の運転制御について説明をする。このフローチャートは、燃焼室１７の中の温度調整に関係する。
【０１７０】
先ず、スタート後のステップＳ１において、ＥＣＵ１０は、各センサＳＷ１〜ＳＷ１６の信号を読み込む。ＥＣＵ１０は、続くステップＳ２において、エンジン１の運転領域を判断する。
【０１７１】
ＥＣＵ１０は、ステップＳ３において、エンジン１の運転状態が、過給機４４をオンする領域にあるか否かを判断する。ステップＳ３の判定がＹＥＳのときには、プロセスはステップＳ９に進み、ＮＯのときには、プロセスはステップＳ４に進む。
【０１７２】
ＥＣＵ１０は、ステップＳ９において過給機４４の電磁クラッチ４５をオンにする。これにより、吸気は、過給機４４及びインタークーラー４６を通過して、燃焼室１７に導入される。吸気がインタークーラー４６を通過することによって冷却されるから、外気温が高いときや、エンジン１の温度が高いときであっても、燃焼室１７の中の温度を適正な温度範囲に収めることができる。
【０１７３】
ＥＣＵ１０は、ステップＳ４において過給機４４の電磁クラッチ４５をオフにする。また、ＥＣＵ１０は、エアバイパス弁４８を開弁する。これにより、吸気は、過給機４４及びインタークーラー４６を通過せずに、バイパス通路４７を通って、燃焼室１７の中に導入される。
【０１７４】
ＥＣＵ１０は、ステップＳ５において、燃焼室１７の圧縮端温度が、予め設定した許容範囲を超えるか否かを判断する。ＥＣＵ１０は、圧縮端温度を、各種のセンサ値に基づいて予測する。ＥＣＵ１０は、温度推定部の一例である。ステップＳ５の判定がＮＯのときには、プロセスはステップＳ１０に進む。ステップＳ５の判定がＹＥＳのときには、プロセスはステップＳ６に進む。
【０１７５】
ＥＣＵ１０は、ステップＳ６において、外気温度が予め設定した第２所定温度を超えるか否かを判断する。第２所定温度は、外気温度が極めて高い温度である。ステップＳ６の判定がＹＥＳのときには、プロセスはステップＳ１２に進み、ＮＯのときには、プロセスはステップＳ７に進む。
【０１７６】
ＥＣＵ１０は、ステップＳ７において、外気温度が予め設定した第１所定温度を超えるか否かを判断する。第１所定温度は、第２所定温度よりも低い温度である。ステップＳ７の判定がＹＥＳのときには、プロセスはステップＳ１３に進み、ＮＯのときには、プロセスはステップＳ８に進む。つまり、この制御プロセスは、ステップＳ６とステップＳ７とにおいて、外気温度を、「極めて高い」、「高い」、「やや高い」の三段階に判定している。外気温度が極めて高いときは、プロセスは、前述したようにステップＳ１２に進む。外気温度が高いときは、プロセスは、ステップＳ１３に進む。外気温度がやや高いときは、プロセスは、ステップＳ８に進む。
【０１７７】
ＥＣＵ１０は、ステップＳ１２において、前述した過給機４４の循環制御を行う。つまり、非過給領域において過給機４４の電磁クラッチ４５をオンにして、過給機４４を駆動すると共に、エアバイパス弁（ＡＢＶ）４８の開度を開け側に調整する。これにより、図１０に示すように、吸気の一部を過給機４４、インタークーラー４６、及びバイパス通路４７において循環させ、燃焼室１７の中に導入する吸気の温度を下げる。
【０１７８】
ステップＳ１３において、ＥＣＵ１０は、前述した過給機４４の予回転制御を行う。つまり、過給機４４の電磁クラッチ４５をオフにした状態で、エアバイパス弁４８の開度を閉じ側に調整する。これにより、図１２に示すように、過給機４４が予回転をするから、過給機４４及びインタークーラー４６を通った吸気を、燃焼室１７の中に導入することができる。インタークーラー４６によって冷却された吸気を、燃焼室１７の中に導入することができる。
【０１７９】
ステップＳ８において、ＥＣＵ１０は、吸気弁２１のバルブタイミングが遅角するように、吸気電動Ｓ−ＶＴ２３に制御信号を出力する。吸気弁２１を遅閉じにすることによって、エンジン１の有効圧縮比の低減と、吸気弁２１及び排気弁２２のオーバーラップ期間の短縮により、燃焼室１７の圧縮端温度を下げる（図１４参照）。
【０１８０】
ステップＳ１０において、ＥＣＵ１０は、圧縮端温度が許容範囲を下回るか否かを判断する。ＮＯのときには、プロセスは、リターンする。ＹＥＳのときには、プロセスは、ステップＳ１１に進む。ＥＣＵ１０は、ステップＳ１１において、吸気弁２１のバルブタイミングが進角するように、吸気電動Ｓ−ＶＴ２３に制御信号を出力する。吸気弁２１の閉時期を上死点に近づけることによって、エンジン１の有効圧縮比が高くなると共に、吸気弁２１及び排気弁２２のオーバーラップ期間が長くなる。吸気弁２１を遅閉じにした場合とは逆に、燃焼室１７の圧縮端温度を上げることができ、圧縮端温度を許容範囲に収めることができる。
【０１８１】
（他の実施形態）
尚、ここに開示する技術は、前述した構成のエンジン１に適用することに限定されない。エンジン１の構成は、様々な構成を採用することが可能である。
【０１８２】
図１６は、エンジン１の制御プロセスの変形例を示すフローチャートの一部を示している。このフローチャートのステップＳ１４、Ｓ１５、及びＳ１６は、過給機４４の予回転制御と、吸気弁２１の遅閉じとの切り替えに係り、図１５に示すフローチャートにおけるステップＳ７、Ｓ８、及びＳ１３と置き換えることができる。
【０１８３】
図１５に示すフローチャートにおいては、外気温度が第１所定温度を超えるときに、ステップＳ１３において過給機４４の予回転制御を行い、外気温度が第１所定温度以下のときに、ステップＳ８において吸気弁２１の遅閉じを行う。これに対し、図１６のフローチャートにおいては、運転者の加速要求操作があるか否かによって、過給機４４の予回転制御と、吸気弁２１の遅閉じと、を切り替える。
【０１８４】
具体的に、ＥＣＵ１０は、ステップＳ１４において、運転者の加速要求操作があるか否かを判定する。加速要求操作があるとき、つまり、運転者がアクセルペダルを踏み増したときには、プロセスは、ステップＳ１５に進み、加速要求操作がないときには、プロセスは、ステップＳ１６に進む。
【０１８５】
加速要求操作があるときには、燃焼室１７の中に導入する吸気を増やさなければならない。過給機４４の予回転制御は、圧力差によって過給機４４を回転させるため、吸気抵抗が高くなってしまう。そのため、吸気の増量が要求される加速時に過給機４４の予回転制御を行うと、吸気の増量が遅れてしまう。加速レスポンスが低下する恐れがある。
【０１８６】
そこで、加速要求操作があるときには、ステップＳ１５において、吸気弁２１の位相を遅角する制御を行い、燃焼室１７の中の温度を下げる。これにより、加速レスポンスの低下を防止しながら、燃焼室１７の中の温度を許容範囲に収めることができる。
【０１８７】
加速要求操作がないときには、吸気抵抗が高くなることを許容することができるため、ステップＳ１６において、過給機４４の予回転制御を行い、燃焼室１７の中の温度を下げる。これにより、吸気を効率的に冷却することができるから、燃焼室１７の中の温度を許容範囲に収めることができる。
【０１８８】
尚、エンジン１は、機械式過給機４４に代えて、ターボ過給機を備えるようにしてもよい。
【０１８９】
また、前述した技術は、吸気弁２１のバルブタイミングの位相を変更する吸気電動Ｓ−ＶＴ２３を用いる以外にも、吸気弁２１のリフト量を変更する可変動弁機構を用いたり、吸気弁２１の開弁角を変更する可変動弁機構を用いたりすることによっても、実現することができる。
【０１９０】
また、ここに開示する技術は、ＳＰＣＣＩ燃焼を行うエンジンに限らず、自己着火燃焼を行うエンジンに広く適用することができる。
【符号の説明】
【０１９１】
１  エンジン
１０  ＥＣＵ（制御部、温度推定部）
１７  燃焼室
２３  吸気電動Ｓ−ＶＴ（可変動弁機構）
４０  吸気通路
４４  過給機
４５  電磁クラッチ（切替部）
４６  インタークーラー
４７  バイパス通路
４８  エアバイパス弁（流量調整弁）
【図１】
2019039389.tif 000003
【図２】
2019039389.tif 000004
【図３】
2019039389.tif 000005
【図４】
2019039389.tif 000006
【図５】
2019039389.tif 000007
【図６】
2019039389.tif 000008
【図７】
2019039389.tif 000009
【図８】
2019039389.tif 000010
【図９】
2019039389.tif 000011
【図１０】
2019039389.tif 000012
【図１１】
2019039389.tif 000013
【図１２】
2019039389.tif 000014
【図１３】
2019039389.tif 000015
【図１４】
2019039389.tif 000016
【図１５】
2019039389.tif 000017
【図１６】
2019039389.tif 000018